(57)【要約】本願の実施例は、ビームを表す下り信号の識別情報が含まれるメッセージに対する応答メッセージの伝送を実現することができる無線通信方法及びデバイスを提供する。該方法は、端末がネットワークデバイスに第１の上りメッセージを送信することと、前記端末が第１の制御リソースセットＣＯＲＥＳＥＴを決定することと、前記端末が前記第１のＣＯＲＥＳＥＴにおいて第１の応答メッセージを受信することとを含み、前記第１の上りメッセージには前記端末の受信した第１の信号の識別情報が含まれ、前記第１の信号が、前記ネットワークデバイスの送信した第１のタイプの少なくとも１つの信号のうちの少なくとも一部の信号を含み、前記第１のＣＯＲＥＳＥＴが前記第１の上りメッセージに対する第１の応答メッセージを受信するために用いられる。
2021503196.tif 000002
【特許請求の範囲】
【請求項１】
端末がネットワークデバイスに第１の上りメッセージを送信することと、
前記端末が第１の制御リソースセットＣＯＲＥＳＥＴを決定することと、
前記端末が前記第１のＣＯＲＥＳＥＴにおいて第１の応答メッセージを受信することとを含み、
前記第１の上りメッセージには前記端末の受信した第１の信号の識別情報が含まれ、前記第１の信号が、前記ネットワークデバイスの送信した第１のタイプの少なくとも１つの信号のうちの少なくとも一部の信号を含み、
前記第１のＣＯＲＥＳＥＴが前記第１の上りメッセージに対する第１の応答メッセージを受信するために用いられる
ことを特徴とする無線通信方法。
【請求項２】
前記第１のタイプの少なくとも１つの信号のうちの全ての又は一部の信号は、それぞれの空間受信パラメータに対して非前記第１のタイプである第２のタイプの信号にそれぞれ準コロケーションされることができる
ことを特徴とする請求項１に記載の無線通信方法。
【請求項３】
前記端末が第１のＣＯＲＥＳＥＴを決定することは、
前記端末が、前記第１の信号の空間受信パラメータに対して準コロケーションされる前記第２のタイプの信号に対応する第２のＣＯＲＥＳＥＴに基づいて、前記第１のＣＯＲＥＳＥＴを決定することを含む
ことを特徴とする請求項２に記載の無線通信方法。
【請求項４】
前記第１のＣＯＲＥＳＥＴを決定することは、
前記第２のＣＯＲＥＳＥＴを前記第１のＣＯＲＥＳＥＴとして決定することを含む
ことを特徴とする請求項３に記載の無線通信方法。
【請求項５】
前記第１のタイプの信号のうちの異なる信号は、それぞれ異なる送信ビームを介して搬送される
ことを特徴とする請求項１〜４のいずれか１項に記載の無線通信方法。
【請求項６】
前記第１の上りメッセージは、前記端末が前記少なくとも１つの信号を検出した検出結果に基づいて所望する下り送信ビームを前記ネットワークデバイスに通知するために用いられる
ことを特徴とする請求項５に記載の無線通信方法。
【請求項７】
前記端末が第１の制御リソースセットＣＯＲＥＳＥＴを決定することは、
前記第１のタイプの少なくとも１つの信号と少なくとも１つのＣＯＲＥＳＥＴとの第１の対応関係に基づいて、前記端末が前記第１のＣＯＲＥＳＥＴを決定することを含む
ことを特徴とする請求項１〜６のいずれか１項に記載の無線通信方法。
【請求項８】
前記少なくとも１つの信号の各信号に対応するＣＯＲＥＳＥＴは、前記各信号に対応する上りメッセージの応答メッセージを受信するために用いられる
ことを特徴とする請求項７に記載の無線通信方法。
【請求項９】
前記方法は、さらに、
前記端末が前記ネットワークデバイスにより送信された第１の指示情報を受信することを含み、前記第１の指示情報が前記第１の対応関係を示す
ことを特徴とする請求項７又は８に記載の無線通信方法。
【請求項１０】
前記端末が第１の制御リソースセットＣＯＲＥＳＥＴを決定することは、
第１の上り送信リソース又は第１のコードに基づいて、前記第１のＣＯＲＥＳＥＴを決定することを含み、
前記第１の上り送信リソースが前記第１の上り信号を送信するリソースであり、前記第１のコードが前記第１の信号を識別するコードである
ことを特徴とする請求項１〜６のいずれか１項に記載の無線通信方法。
【請求項１１】
前記第１の上りメッセージの第１の上り送信リソース又は第１のコードに基づいて、前記第１のＣＯＲＥＳＥＴを決定することは、
少なくとも１つの上り送信リソース又はコードと、少なくとも１つのＣＯＲＥＳＥＴとの第２の対応関係に基づいて、前記第１の上り送信リソース又は第１のコードに対応する前記第１のＣＯＲＥＳＥＴを決定することを含む
ことを特徴とする請求項１０に記載の無線通信方法。
【請求項１２】
各上り送信リソース又はコードが前記第１のタイプの少なくとも１つの信号の上りメッセージにそれぞれ対応し、前記各上り送信リソース又はコードに対応するＣＯＲＥＳＥＴは、前記各上り送信リソース又はコードを利用して送信した前記上りメッセージの応答メッセージを受信するために用いられる
ことを特徴とする請求項１１に記載の無線通信方法。
【請求項１３】
前記方法は、さらに、
前記ネットワークデバイスにより送信された第２の指示情報を受信することを含み、前記第２の指示情報が前記第２の対応関係を示す
ことを特徴とする請求項１１に記載の無線通信方法。
【請求項１４】
前記方法は、さらに、
前記第１のＣＯＲＥＳＥＴを利用して第２の応答メッセージを受信することを含み、前記第２の応答メッセージが第１のランダムアクセスリソースで送信された上りメッセージの応答メッセージであり、第１のランダムアクセスリソースが前記第１の上り送信リソースに対応するランダムアクセスリソースである
ことを特徴とする請求項１１〜１３のいずれか１項に記載の無線通信方法。
【請求項１５】
前記第１の上り送信リソース又は第１のコードに基づいて、前記第１のＣＯＲＥＳＥＴを決定することは、
第１のランダムアクセスリソースを決定することと、
前記第１のランダムアクセスリソースに基づいて、第３のＣＯＲＥＳＥＴを決定することと、
前記第３のＣＯＲＥＳＥＴに基づいて、前記第１のＣＯＲＥＳＥＴを決定することとを含み、
前記第１のランダムアクセスリソースが前記第１の上り送信リソースに対応するランダムアクセスリソースである
ことを特徴とする請求項１０に記載の無線通信方法。
【請求項１６】
前記第３のＣＯＲＥＳＥＴが第２の応答メッセージの受信に使用され、前記第２の応答メッセージは、前記第１のランダムアクセスリソースで上り送信された上りアクセスメッセージに対する応答メッセージである
ことを特徴とする請求項１５に記載の無線通信方法。
【請求項１７】
前記第１のランダムアクセスリソースに基づいて、第２のＣＯＲＥＳＥＴを決定することは、
少なくとも１つのランダムアクセスリソースと、少なくとも１つのＣＯＲＥＳＥＴとの第３の対応関係に基づいて、前記第１のランダムアクセスリソースに対応する前記第２のＣＯＲＥＳＥＴを決定することを含む
ことを特徴とする請求項１５又は１６に記載の無線通信方法。
【請求項１８】
各ランダムアクセスリソースに対応するＣＯＲＥＳＥＴは、前記各ランダムアクセスリソースで送信された上りアクセスメッセージの応答メッセージの受信に使用される
ことを特徴とする請求項１７に記載の無線通信方法。
【請求項１９】
前記第３のＣＯＲＥＳＥＴに基づいて、前記第１のＣＯＲＥＳＥＴを決定することは、
前記第３のＣＯＲＥＳＥＴを、前記第１のＣＯＲＥＳＥＴとして決定することを含む
ことを特徴とする請求項１５〜１８のいずれか１項に記載の無線通信方法。
【請求項２０】
前記方法は、さらに、
前記ネットワークデバイスにより送信された第３の指示情報を受信することを含み、前記第３の指示情報が前記第３の対応関係を示す
ことを特徴とする請求項１７又は１８に記載の無線通信方法。
【請求項２１】
前記第１の上り送信リソースと前記第１のアクセスリソースとが、周波数分割多重化又はコード分割多重化される
ことを特徴とする請求項１５〜２０のいずれか１項に記載の無線通信方法。
【請求項２２】
前記第１のタイプの信号は、チャネル状態情報参照信号ＣＳＩ−ＲＳ、又は同期信号ブロックである
ことを特徴とする請求項１〜２１のいずれか１項に記載の無線通信方法。
【請求項２３】
ネットワークデバイスが端末により送信された第１の上りメッセージを受信することと、
前記ネットワークデバイスが第１の制御リソースセットＣＯＲＥＳＥＴを決定することと、
前記ネットワークデバイスが前記第１のＣＯＲＥＳＥＴにおいて第１の応答メッセージを送信することとを含み、
前記第１の上りメッセージには前記端末の受信した第１の信号の識別情報が含まれ、前記第１の信号が、前記ネットワークデバイスの送信した第１のタイプの少なくとも１つの信号のうちの少なくとも一部の信号を含み、
前記第１のＣＯＲＥＳＥＴが、前記第１の上りメッセージに対する前記第１の応答メッセージを送信するために用いられる
ことを特徴とする無線通信方法。
【請求項２４】
前記第１のタイプの少なくとも１つの信号のうちの全ての又は一部の信号は、それぞれの空間受信パラメータに対して非前記第１のタイプである第２のタイプの信号にそれぞれ準コロケーションされることができる
ことを特徴とする請求項２３に記載の無線通信方法。
【請求項２５】
前記ネットワークデバイスが第１の制御リソースセットＣＯＲＥＳＥＴを決定することは、
前記ネットワークデバイスが、前記第１の信号の空間受信パラメータに対して準コロケーションされる前記第２のタイプの信号に対応する第２のＣＯＲＥＳＥＴに基づいて、前記第１のＣＯＲＥＳＥＴを決定することを含む
ことを特徴とする請求項２４に記載の無線通信方法。
【請求項２６】
前記第１のＣＯＲＥＳＥＴを決定することは、
前記第２のＣＯＲＥＳＥＴを前記第１のＣＯＲＥＳＥＴとして決定することを含む
ことを特徴とする請求項２５に記載の無線通信方法。
【請求項２７】
前記第１のタイプの信号のうちの異なる信号は、それぞれ異なる送信ビームを介して搬送される
ことを特徴とする請求項２３〜２６のいずれか１項に記載の無線通信方法。
【請求項２８】
前記第１の上りメッセージは、前記端末が前記少なくとも１つの信号を検出した検出結果に基づいて所望する下り送信ビームを前記ネットワークデバイスに通知するために用いられる
ことを特徴とする請求項２７に記載の無線通信方法。
【請求項２９】
前記ネットワークデバイスが第１の制御リソースセットＣＯＲＥＳＥＴを決定することは、
前記第１のタイプの少なくとも１つの信号と少なくとも１つのＣＯＲＥＳＥＴとの第１の対応関係に基づいて、前記ネットワークデバイスが前記第１のＣＯＲＥＳＥＴを決定することを含む
ことを特徴とする請求項２３〜２８のいずれか１項に記載の無線通信方法。
【請求項３０】
前記少なくとも１つの信号の各信号に対応するＣＯＲＥＳＥＴは、前記各信号に対応する上りメッセージの応答メッセージを送信するために用いられる
ことを特徴とする請求項２９に記載の無線通信方法。
【請求項３１】
前記方法は、さらに、
前記ネットワークデバイスが前記端末に第１の指示情報を送信することを含み、前記第１の指示情報が前記第１の対応関係を示す
ことを特徴とする請求項２９又は３０に記載の無線通信方法。
【請求項３２】
前記ネットワークデバイスが第１の制御リソースセットＣＯＲＥＳＥＴを決定することは、
第１の上り送信リソース又は第１のコードに基づいて、前記第１のＣＯＲＥＳＥＴを決定することを含み、
前記第１の上り送信リソースが前記端末の前記第１の上り信号を送信するリソースであり、前記第１のコードが前記第１の信号を識別するコードである
ことを特徴とする請求項２３〜２８のいずれか１項に記載の無線通信方法。
【請求項３３】
前記第１の上りメッセージの第１の上り送信リソース又は第１のコードに基づいて、前記第１のＣＯＲＥＳＥＴを決定することは、
少なくとも１つの上り送信リソース又はコードと、少なくとも１つのＣＯＲＥＳＥＴとの第２の対応関係に基づいて、前記第１の上り送信リソース又は第１のコードに対応する前記第１のＣＯＲＥＳＥＴを決定することを含む
ことを特徴とする請求項３２に記載の無線通信方法。
【請求項３４】
各上り送信リソース又はコードが前記第１のタイプの少なくとも１つの信号の上りメッセージにそれぞれ対応し、前記各上り送信リソース又はコードに対応するＣＯＲＥＳＥＴは、前記各上り送信リソース又はコードを利用して送信した前記上りメッセージの応答メッセージの送信に使用される
ことを特徴とする請求項３３に記載の無線通信方法。
【請求項３５】
前記方法は、さらに、
前記ネットワークデバイスが前記端末に第２の指示情報を送信することを含み、前記第２の指示情報が前記第２の対応関係を示す
ことを特徴とする請求項３３に記載の無線通信方法。
【請求項３６】
前記方法は、さらに、
前記第１のＣＯＲＥＳＥＴを利用して第２の応答メッセージを送信することを含み、前記第２の応答メッセージが第１のランダムアクセスリソースで送信された上りメッセージの応答メッセージであり、第１のランダムアクセスリソースが前記第１の上り送信リソースに対応するランダムアクセスリソースである
ことを特徴とする請求項３３〜３５のいずれか１項に記載の無線通信方法。
【請求項３７】
前記第１の上り送信リソース又は第１のコードに基づいて、前記第１のＣＯＲＥＳＥＴを決定することは、
第１のランダムアクセスリソースを決定することと、
前記第１のランダムアクセスリソースに基づいて、第３のＣＯＲＥＳＥＴを決定することと、
前記第３のＣＯＲＥＳＥＴに基づいて、前記第１のＣＯＲＥＳＥＴを決定することとを含み、
前記第１のランダムアクセスリソースが前記第１の上り送信リソースに対応するランダムアクセスリソースである
ことを特徴とする請求項３２に記載の無線通信方法。
【請求項３８】
前記第３のＣＯＲＥＳＥＴが第２の応答メッセージの送信に使用され、前記第２の応答メッセージは、前記第１のランダムアクセスリソースで上り送信された上りアクセスメッセージに対する応答メッセージである
ことを特徴とする請求項３７に記載の無線通信方法。
【請求項３９】
前記第１のランダムアクセスリソースに基づいて、第２のＣＯＲＥＳＥＴを決定することは、
少なくとも１つのランダムアクセスリソースと少なくとも１つのＣＯＲＥＳＥＴとの第３の対応関係に基づいて、前記第１のランダムアクセスリソースに対応する前記第２のＣＯＲＥＳＥＴを決定することを含む
ことを特徴とする請求項３７又は３８に記載の無線通信方法。
【請求項４０】
各ランダムアクセスリソースに対応するＣＯＲＥＳＥＴは、前記各ランダムアクセスリソースで送信された上りアクセスメッセージの応答メッセージの送信に使用される
ことを特徴とする請求項３９に記載の無線通信方法。
【請求項４１】
前記第３のＣＯＲＥＳＥＴに基づいて、前記第１のＣＯＲＥＳＥＴを決定することは、
前記第３のＣＯＲＥＳＥＴを、前記第１のＣＯＲＥＳＥＴとして決定することを含む
ことを特徴とする請求項３７〜４０のいずれか１項に記載の無線通信方法。
【請求項４２】
前記方法は、さらに、
前記ネットワークデバイスが前記端末に第３の指示情報を送信することを含み、前記第３の指示情報が前記第３の対応関係を示す
ことを特徴とする請求項３９又は４０に記載の無線通信方法。
【請求項４３】
前記第１の上り送信リソースと前記第１のアクセスリソースとが、周波数分割多重化又はコード分割多重化される
ことを特徴とする請求項３７〜４２のいずれか１項に記載の無線通信方法。
【請求項４４】
前記第１のタイプの信号は、チャネル状態情報参照信号ＣＳＩ−ＲＳ、又は同期信号ブロックである
ことを特徴とする請求項２３〜４３のいずれか１項に記載の無線通信方法。
【請求項４５】
通信ユニットと、処理ユニットと、を備える端末であって、
前記通信ユニットは、ネットワークデバイスに第１の上りメッセージを送信するように構成され、前記第１の上りメッセージには前記端末の受信した第１の信号の識別情報が含まれ、前記第１の信号が、前記ネットワークデバイスの送信した第１のタイプの少なくとも１つの信号のうちの少なくとも一部の信号を含み、
前記処理ユニットは、第１の制御リソースセットＣＯＲＥＳＥＴを決定するように構成され、前記第１のＣＯＲＥＳＥＴが前記第１の上りメッセージに対する第１の応答メッセージを受信するために用いられる
前記通信ユニットは、前記第１のＣＯＲＥＳＥＴにおいて、前記第１の応答メッセージを受信するように構成される
ことを特徴とする端末。
【請求項４６】
前記第１のタイプの少なくとも１つの信号のうちの全ての又は一部の信号は、それぞれの空間受信パラメータに対して非前記第１のタイプである第２のタイプの信号にそれぞれ準コロケーションされることができる
ことを特徴とする請求項４５に記載の端末。
【請求項４７】
前記処理ユニットは、さらに、
前記第１の信号が空間受信パラメータに対して準コロケーションされる前記第２のタイプの信号に対応する第２のＣＯＲＥＳＥＴに基づいて、前記第１のＣＯＲＥＳＥＴを決定するように構成される
ことを特徴とする請求項４６に記載の端末。
【請求項４８】
前記処理ユニットは、さらに、
前記第２のＣＯＲＥＳＥＴを前記第１のＣＯＲＥＳＥＴとして決定するように構成される
ことを特徴とする請求項４７に記載の端末。
【請求項４９】
前記第１のタイプの信号のうちの異なる信号は、それぞれ異なる送信ビームを介して搬送される
ことを特徴とする請求項４５〜４８のいずれか１項に記載の端末。
【請求項５０】
前記第１の上りメッセージは、前記端末が前記少なくとも１つの信号を検出した検出結果に基づいて所望する下り送信ビームを前記ネットワークデバイスに通知するために用いられる
ことを特徴とする請求項４９に記載の端末。
【請求項５１】
前記処理ユニットは、さらに、
前記第１のタイプの少なくとも１つの信号と少なくとも１つのＣＯＲＥＳＥＴとの第１の対応関係に基づいて、前記第１のＣＯＲＥＳＥＴを決定するように構成される
ことを特徴とする請求項４５〜５０のいずれか１項に記載の端末。
【請求項５２】
前記少なくとも１つの信号の各信号に対応するＣＯＲＥＳＥＴは、前記各信号に対応する上りメッセージの応答メッセージを受信するために用いられる
ことを特徴とする請求項５１に記載の端末。
【請求項５３】
前記通信ユニットは、さらに、
前記ネットワークデバイスにより送信された第１の指示情報を受信するように構成され、前記第１の指示情報が前記第１の対応関係を示す
ことを特徴とする請求項５１又は５２に記載の端末。
【請求項５４】
前記処理ユニットは、さらに、
第１の上り送信リソース又は第１のコードに基づいて、前記第１のＣＯＲＥＳＥＴを決定するように構成され、前記第１の上り送信リソースが前記第１の上り信号を送信するリソースであり、前記第１のコードが前記第１の信号を識別するコードである
ことを特徴とする請求項４５〜５０のいずれか１項に記載の端末。
【請求項５５】
前記処理ユニットは、さらに、
少なくとも１つの上り送信リソース又はコードと、少なくとも１つのＣＯＲＥＳＥＴとの第２の対応関係に基づいて、前記第１の上り送信リソース又は第１のコードに対応する前記第１のＣＯＲＥＳＥＴを決定するように構成される
ことを特徴とする請求項５４に記載の端末。
【請求項５６】
各上り送信リソース又はコードが前記第１のタイプの少なくとも１つの信号の上りメッセージにそれぞれ対応し、前記各上り送信リソース又はコードに対応するＣＯＲＥＳＥＴは、前記各上り送信リソース又はコードを利用して送信した前記上りメッセージの応答メッセージを受信するために用いられる
ことを特徴とする請求項５５に記載の端末。
【請求項５７】
前記通信ユニットは、さらに、
前記ネットワークデバイスにより送信された第２の指示情報を受信するように構成され、前記第２の指示情報が前記第２の対応関係を示す
ことを特徴とする請求項５５に記載の端末。
【請求項５８】
前記通信ユニットは、さらに、
前記第１のＣＯＲＥＳＥＴを利用して第２の応答メッセージを受信するように構成され、前記第２の応答メッセージが第１のランダムアクセスリソースで送信された上りメッセージの応答メッセージであり、第１のランダムアクセスリソースが前記第１の上り送信リソースに対応するランダムアクセスリソースである
ことを特徴とする請求項５５〜５７のいずれか１項に記載の端末。
【請求項５９】
前記処理ユニットは、さらに、
第１のランダムアクセスリソースを決定し、前記第１のランダムアクセスリソースが前記第１の上り送信リソースに対応するランダムアクセスリソースであり、
前記第１のランダムアクセスリソースに基づいて、第３のＣＯＲＥＳＥＴを決定し、
前記第３のＣＯＲＥＳＥＴに基づいて、前記第１のＣＯＲＥＳＥＴを決定するように構成される
ことを特徴とする請求項５４に記載の端末。
【請求項６０】
前記第３のＣＯＲＥＳＥＴが第２の応答メッセージの受信に使用され、前記第２の応答メッセージは、前記第１のランダムアクセスリソースで上り送信された上りアクセスメッセージに対する応答メッセージである
ことを特徴とする請求項５９に記載の端末。
【請求項６１】
前記処理ユニットは、さらに、
少なくとも１つのランダムアクセスリソースと少なくとも１つのＣＯＲＥＳＥＴとの第３の対応関係に基づいて、前記第１のランダムアクセスリソースに対応する前記第２のＣＯＲＥＳＥＴを決定するように構成される
ことを特徴とする請求項５９又は６０に記載の端末。
【請求項６２】
各ランダムアクセスリソースに対応するＣＯＲＥＳＥＴは、前記各ランダムアクセスリソースで送信された上りアクセスメッセージの応答メッセージの受信に使用される
ことを特徴とする請求項６１に記載の端末。
【請求項６３】
前記処理ユニットは、さらに、
前記第３のＣＯＲＥＳＥＴを、前記第１のＣＯＲＥＳＥＴとして決定するように構成される
ことを特徴とする請求項５９〜６２のいずれか１項に記載の端末。
【請求項６４】
前記通信ユニットは、さらに、
前記ネットワークデバイスにより送信された第３の指示情報を受信するように構成され、前記第３の指示情報が前記第３の対応関係を示す
ことを特徴とする請求項６１又は６２に記載の端末。
【請求項６５】
前記第１の上り送信リソースと前記第１のアクセスリソースとが、周波数分割多重化又はコード分割多重化される
ことを特徴とする請求項５９〜６４のいずれか１項に記載の端末。
【請求項６６】
前記第１のタイプの信号は、チャネル状態情報参照信号ＣＳＩ−ＲＳ、又は同期信号ブロックである
ことを特徴とする請求項４５〜６５のいずれか１項に記載の端末。
【請求項６７】
通信ユニットと、処理ユニットと、を備えるネットワークデバイスであって、
前記通信ユニットは、端末により送信された第１の上りメッセージを受信するように構成され、前記第１の上りメッセージには前記端末の受信した第１の信号の識別情報が含まれ、前記第１の信号が、前記ネットワークデバイスの送信した第１のタイプの少なくとも１つの信号のうちの少なくとも一部の信号を含み、
前記処理ユニットは、第１の制御リソースセットＣＯＲＥＳＥＴを決定するように構成され、前記第１のＣＯＲＥＳＥＴは、前記第１の上りメッセージに対する第１の応答メッセージを送信するために用いられ、
前記通信ユニットは、さらに、前記第１のＣＯＲＥＳＥＴにおいて、前記第１の応答メッセージを送信するように構成される
ことを特徴とするネットワークデバイス。
【請求項６８】
前記第１のタイプの少なくとも１つの信号のうちの全ての又は一部の信号は、それぞれの空間受信パラメータに対して非前記第１のタイプである第２のタイプの信号にそれぞれ準コロケーションされることができる
ことを特徴とする請求項６７に記載のネットワークデバイス。
【請求項６９】
前記処理ユニットは、さらに、
前記第１の信号が空間受信パラメータに対して準コロケーションされる前記第２のタイプの信号に対応する第２のＣＯＲＥＳＥＴに基づいて、前記第１のＣＯＲＥＳＥＴを決定するように構成される
ことを特徴とする請求項６８に記載のネットワークデバイス。
【請求項７０】
前記処理ユニットは、さらに、
前記第２のＣＯＲＥＳＥＴを前記第１のＣＯＲＥＳＥＴとして決定するように構成される
ことを特徴とする請求項６９に記載のネットワークデバイス。
【請求項７１】
前記第１のタイプの信号のうちの異なる信号は、それぞれ異なる送信ビームを介して搬送される
ことを特徴とする請求項６７〜７０のいずれか１項に記載のネットワークデバイス。
【請求項７２】
前記第１の上りメッセージは、前記端末が前記少なくとも１つの信号を検出した検出結果に基づいて所望する下り送信ビームを前記ネットワークデバイスに通知するために用いられる
ことを特徴とする請求項７１に記載のネットワークデバイス。
【請求項７３】
前記処理ユニットは、さらに、
前記第１のタイプの少なくとも１つの信号と少なくとも１つのＣＯＲＥＳＥＴとの第１の対応関係に基づいて、前記第１のＣＯＲＥＳＥＴを決定するように構成される
ことを特徴とする請求項６７〜７２のいずれか１項に記載のネットワークデバイス。
【請求項７４】
前記少なくとも１つの信号の各信号に対応するＣＯＲＥＳＥＴは、前記各信号に対応する上りメッセージの応答メッセージを送信するために用いられる
ことを特徴とする請求項７３に記載のネットワークデバイス。
【請求項７５】
前記通信ユニットは、さらに、
前記端末に第１の指示情報を送信するように構成され、前記第１の指示情報が前記第１の対応関係を示す
ことを特徴とする請求項７３又は７４に記載のネットワークデバイス。
【請求項７６】
前記処理ユニットは、さらに、
第１の上り送信リソース又は第１のコードに基づいて、前記第１のＣＯＲＥＳＥＴを決定するように構成され、前記第１の上り送信リソースが前記端末の前記第１の上り信号を送信するリソースであり、前記第１のコードが前記第１の信号を識別するコードである
ことを特徴とする請求項６７〜７２のいずれか１項に記載のネットワークデバイス。
【請求項７７】
前記処理ユニットは、さらに、
少なくとも１つの上り送信リソース又はコードと、少なくとも１つのＣＯＲＥＳＥＴとの第２の対応関係に基づいて、前記第１の上り送信リソース又は第１のコードに対応する前記第１のＣＯＲＥＳＥＴを決定するように構成される
ことを特徴とする請求項７６に記載のネットワークデバイス。
【請求項７８】
各上り送信リソース又はコードが前記第１のタイプの少なくとも１つの信号の上りメッセージにそれぞれ対応し、前記各上り送信リソース又はコードに対応するＣＯＲＥＳＥＴは、前記各上り送信リソース又はコードを利用して送信した前記上りメッセージの応答メッセージの送信に使用される
ことを特徴とする請求項７７に記載のネットワークデバイス。
【請求項７９】
前記通信ユニットは、さらに、
前記端末に第２の指示情報を送信するように構成され、前記第２の指示情報が前記第２の対応関係を示す
ことを特徴とする請求項７７に記載のネットワークデバイス。
【請求項８０】
前記通信ユニットは、さらに、
前記第１のＣＯＲＥＳＥＴを利用して第２の応答メッセージを送信するように構成され、前記第２の応答メッセージが第１のランダムアクセスリソースで送信された上りメッセージの応答メッセージであり、第１のランダムアクセスリソースが前記第１の上り送信リソースに対応するランダムアクセスリソースである
ことを特徴とする請求項７７〜７９のいずれか１項に記載のネットワークデバイス。
【請求項８１】
前記処理ユニットは、さらに、
第１のランダムアクセスリソースを決定し、前記第１のランダムアクセスリソースが前記第１の上り送信リソースに対応するランダムアクセスリソースであり、
前記第１のランダムアクセスリソースに基づいて、第３のＣＯＲＥＳＥＴを決定し、
前記第３のＣＯＲＥＳＥＴに基づいて、前記第１のＣＯＲＥＳＥＴを決定するように構成される
ことを特徴とする請求項７６に記載のネットワークデバイス。
【請求項８２】
前記第３のＣＯＲＥＳＥＴが第２の応答メッセージの送信に使用され、前記第２の応答メッセージは、前記第１のランダムアクセスリソースで上り送信された上りアクセスメッセージに対する応答メッセージである
ことを特徴とする請求項８１に記載のネットワークデバイス。
【請求項８３】
前記処理ユニットは、さらに、
少なくとも１つのランダムアクセスリソースと少なくとも１つのＣＯＲＥＳＥＴとの第３の対応関係に基づいて、前記第１のランダムアクセスリソースに対応する前記第２のＣＯＲＥＳＥＴを決定するように構成される
ことを特徴とする請求項８１又は８２に記載のネットワークデバイス。
【請求項８４】
各ランダムアクセスリソースに対応するＣＯＲＥＳＥＴは、前記各ランダムアクセスリソースで送信された上りアクセスメッセージの応答メッセージの送信に使用される
ことを特徴とする請求項８３に記載のネットワークデバイス。
【請求項８５】
前記処理ユニットは、さらに、
前記第３のＣＯＲＥＳＥＴを、前記第１のＣＯＲＥＳＥＴとして決定するように構成される
ことを特徴とする請求項８１〜８４のいずれか１項に記載のネットワークデバイス。
【請求項８６】
前記通信ユニットは、さらに、
前記端末に第３の指示情報を送信するように構成され、前記第３の指示情報が前記第３の対応関係を示す
ことを特徴とする請求項８３又は８４に記載のネットワークデバイス。
【請求項８７】
前記第１の上り送信リソースと前記第１のアクセスリソースとが、周波数分割多重化又はコード分割多重化される
ことを特徴とする請求項８１〜８６のいずれか１項に記載のネットワークデバイス。
【請求項８８】
前記第１のタイプの信号は、チャネル状態情報参照信号ＣＳＩ−ＲＳ、又は同期信号ブロックである
ことを特徴とする請求項６７〜８７のいずれか１項に記載のネットワークデバイス。
【請求項８９】
端末がネットワークデバイスに第１の上りメッセージを送信することと、
前記端末が第１の時間周波数リソースセット及び／又は探索空間を決定することと、
前記端末が前記第１の時間周波数リソースセット及び／又は探索空間において、前記第１の応答メッセージを受信することとを含み、
前記第１の上りメッセージには前記端末の受信した第１の信号の識別情報が含まれ、前記第１の信号が、前記ネットワークデバイスの送信した第１のタイプの少なくとも１つの信号のうちの少なくとも一部の信号を含み、前記第１の時間周波数リソースセット及び／又は探索空間が、前記第１の上りメッセージに対する第１の応答メッセージを受信するために用いられる
ことを特徴とする無線通信方法。
【請求項９０】
前記第１のタイプの少なくとも１つの信号のうちの全ての又は一部の信号は、それぞれの空間受信パラメータに対して非前記第１のタイプである第２のタイプの信号にそれぞれ準コロケーションされることができる
ことを特徴とする請求項８９に記載の無線通信方法。
【請求項９１】
前記端末が第１の時間周波数リソースセット及び／又は探索空間を決定することは、
前記端末が、前記第１の信号の空間受信パラメータに対して準コロケーションされる前記第２のタイプの信号に対応する第２の時間周波数リソースセット及び／又は探索空間に基づいて、前記第１の時間周波数リソースセット及び／又は探索空間を決定することを含む
ことを特徴とする請求項９０に記載の無線通信方法。
【請求項９２】
前記第１の時間周波数リソースセット及び／又は探索空間を決定することは、
前記第２の時間周波数リソースセット及び／又は探索空間を、前記第１の時間周波数リソースセット及び／又は探索空間として決定することを含む
ことを特徴とする請求項９１に記載の無線通信方法。
【請求項９３】
前記第１のタイプの信号のうちの異なる信号は、それぞれ異なる送信ビームを介して搬送される
ことを特徴とする請求項８９〜９２のいずれか１項に記載の無線通信方法。
【請求項９４】
前記第１の上りメッセージは、前記端末が前記少なくとも１つの信号を検出した検出結果に基づいて所望する下り送信ビームを前記ネットワークデバイスに通知するために用いられる
ことを特徴とする請求項９３に記載の無線通信方法。
【請求項９５】
前記端末が第１の制御リソースセット時間周波数リソースセット及び／又は探索空間を決定することは、
前記第１のタイプの少なくとも１つの信号と少なくとも１つの時間周波数リソースセット及び／又は探索空間との第１の対応関係に基づいて、前記端末が前記第１の時間周波数リソースセット及び／又は探索空間を決定することを含む
ことを特徴とする請求項８９〜９４のいずれか１項に記載の無線通信方法。
【請求項９６】
前記少なくとも１つの信号の各信号に対応する時間周波数リソースセット及び／又は探索空間は、前記各信号に対応する上りメッセージの応答メッセージを受信するために用いられる
ことを特徴とする請求項９５に記載の無線通信方法。
【請求項９７】
前記方法は、さらに、
前記端末が前記ネットワークデバイスにより送信された第１の指示情報を受信することを含み、前記第１の指示情報が前記第１の対応関係を示す
ことを特徴とする請求項９５又は９６に記載の無線通信方法。
【請求項９８】
前記端末が第１の時間周波数リソースセット及び／又は探索空間を決定することは、
第１の上り送信リソース又は第１のコードに基づいて、前記第１の時間周波数リソースセット及び／又は探索空間を決定することを含み、前記第１の上り送信リソースが前記第１の上り信号を送信するリソースであり、前記第１のコードが前記第１の信号を識別するコードである
ことを特徴とする請求項８９〜９４のいずれか１項に記載の無線通信方法。
【請求項９９】
前記第１の上りメッセージの第１の上り送信リソース又は第１のコードに基づいて、前記第１の時間周波数リソースセット及び／又は探索空間を決定することは、
少なくとも１つの上り送信リソース又はコードと少なくとも１つの時間周波数リソースセット及び／又は探索空間との第２の対応関係に基づいて、前記第１の上り送信リソース又は第１のコードに対応する前記第１の時間周波数リソースセット及び／又は探索空間を決定することを含む
ことを特徴とする請求項９８に記載の無線通信方法。
【請求項１００】
各上り送信リソース又はコードが前記第１のタイプの少なくとも１つの信号の上りメッセージにそれぞれ対応し、前記各上り送信リソース又はコードに対応する時間周波数リソースセット及び／又は探索空間は、前記各上り送信リソース又はコードを利用して送信した前記上りメッセージの応答メッセージを受信するために用いられる
ことを特徴とする請求項９９に記載の無線通信方法。
【請求項１０１】
前記方法は、さらに、
前記ネットワークデバイスにより送信された第２の指示情報を受信することを含み、前記第２の指示情報が前記第２の対応関係を示す
ことを特徴とする請求項９９に記載の無線通信方法。
【請求項１０２】
前記方法は、さらに、
前記第１の時間周波数リソースセット及び／又は探索空間を利用して第２の応答メッセージを受信することを含み、前記第２の応答メッセージが第１のランダムアクセスリソースで送信された上りメッセージの応答メッセージであり、第１のランダムアクセスリソースが前記第１の上り送信リソースに対応するランダムアクセスリソースである
ことを特徴とする請求項９９〜１０１のいずれか１項に記載の無線通信方法。
【請求項１０３】
前記第１の上り送信リソース又は第１のコードに基づいて、前記第１の時間周波数リソースセット及び／又は探索空間を決定することは、
第１のランダムアクセスリソースを決定することと、
前記第１のランダムアクセスリソースに基づいて、第３の時間周波数リソースセット及び／又は探索空間を決定することと、
前記第３の時間周波数リソースセット及び／又は探索空間に基づいて、前記第１の時間周波数リソースセット及び／又は探索空間を決定することとを含み、
前記第１のランダムアクセスリソースが前記第１の上り送信リソースに対応するランダムアクセスリソースである
ことを特徴とする請求項９８に記載の無線通信方法。
【請求項１０４】
前記第３の時間周波数リソースセット及び／又は探索空間配が、第２の応答メッセージの受信に使用され、前記第２の応答メッセージは、前記第１のランダムアクセスリソースで上り送信された上りアクセスメッセージに対する応答メッセージである
ことを特徴とする請求項１０３に記載の無線通信方法。
【請求項１０５】
前記第１のランダムアクセスリソースに基づいて、第２の時間周波数リソースセット及び／又は探索空間を決定することは、
少なくとも１つのランダムアクセスリソースと少なくとも１つの時間周波数リソースセット及び／又は探索空間との第３の対応関係に基づいて、前記第１のランダムアクセスリソースに対応する前記第２の時間周波数リソースセット及び／又は探索空間を決定することを含む
ことを特徴とする請求項１０３又は１０４に記載の無線通信方法。
【請求項１０６】
各ランダムアクセスリソースに対応する時間周波数リソースセット及び／又は探索空間は、前記各ランダムアクセスリソースで送信された上りアクセスメッセージの応答メッセージの受信に使用される
ことを特徴とする請求項１０５に記載の無線通信方法。
【請求項１０７】
前記第３の時間周波数リソースセット及び／又は探索空間に基づいて、前記第１の時間周波数リソースセット及び／又は探索空間を決定することは、
前記第３の時間周波数リソースセット及び／又は探索空間を、前記第１の時間周波数リソースセット及び／又は探索空間として決定することを含む
ことを特徴とする請求項１０３〜１０６のいずれか１項に記載の無線通信方法。
【請求項１０８】
前記方法は、さらに、
前記ネットワークデバイスにより送信された第３の指示情報を受信することを含み、前記第３の指示情報が前記第３の対応関係を示す
ことを特徴とする請求項１０５又は１０６に記載の無線通信方法。
【請求項１０９】
前記第１の上り送信リソースと前記第１のアクセスリソースとが、周波数分割多重化又はコード分割多重化される
ことを特徴とする請求項１０３〜１０８のいずれか１項に記載の無線通信方法。
【請求項１１０】
前記第１のタイプの信号は、チャネル状態情報参照信号ＣＳＩ−ＲＳ、又は同期信号ブロックである
ことを特徴とする請求項８９〜１０９のいずれか１項に記載の無線通信方法。
【請求項１１１】
ネットワークデバイスが端末により送信された第１の上りメッセージを受信することと、
前記ネットワークデバイスが第１の時間周波数リソースセット及び／又は探索空間を決定することと、
前記ネットワークデバイスが前記第１の時間周波数リソースセット及び／又は探索空間において、前記第１の応答メッセージを送信することとを含み、
前記第１の上りメッセージには前記端末の受信した第１の信号の識別情報が含まれ、前記第１の信号が、前記ネットワークデバイスの送信した第１のタイプの少なくとも１つの信号のうちの少なくとも一部の信号を含み、
前記第１の時間周波数リソースセット及び／又は探索空間が、前記第１の上りメッセージに対する第１の応答メッセージを送信するために用いられる
ことを特徴とする無線通信方法。
【請求項１１２】
前記第１のタイプの少なくとも１つの信号のうちの全ての又は一部の信号は、それぞれの空間受信パラメータに対して非前記第１のタイプである第２のタイプの信号にそれぞれ準コロケーションされることができる
ことを特徴とする請求項１１１に記載の無線通信方法。
【請求項１１３】
前記ネットワークデバイスが第１の時間周波数リソースセット及び／又は探索空間を決定することは、
前記ネットワークデバイスが、前記第１の信号の空間受信パラメータに対して準コロケーションされる前記第２のタイプの信号に対応する第２の時間周波数リソースセット及び／又は探索空間に基づいて、前記第１の時間周波数リソースセット及び／又は探索空間を決定することを含む
ことを特徴とする請求項１１２に記載の無線通信方法。
【請求項１１４】
前記第１の時間周波数リソースセット及び／又は探索空間を決定することは、
前記第２の時間周波数リソースセット及び／又は探索空間を、前記第１の時間周波数リソースセット及び／又は探索空間として決定することを含む
ことを特徴とする請求項１１３に記載の無線通信方法。
【請求項１１５】
前記第１のタイプの信号のうちの異なる信号は、それぞれ異なる送信ビームを介して搬送される
ことを特徴とする請求項１１１〜１１４のいずれか１項に記載の無線通信方法。
【請求項１１６】
前記第１の上りメッセージは、前記端末が前記少なくとも１つの信号を検出した検出結果に基づいて所望する下り送信ビームを前記ネットワークデバイスに通知するために用いられる
ことを特徴とする請求項１１５に記載の無線通信方法。
【請求項１１７】
前記ネットワークデバイスが第１の時間周波数リソースセット及び／又は探索空間を決定することは、
前記第１のタイプの少なくとも１つの信号と少なくとも１つの時間周波数リソースセット及び／又は探索空間との第１の対応関係に基づいて、前記ネットワークデバイスが前記第１の時間周波数リソースセット及び／又は探索空間を決定することを含む
ことを特徴とする請求項１１１〜１１６のいずれか１項に記載の無線通信方法。
【請求項１１８】
前記少なくとも１つの信号の各信号に対応する時間周波数リソースセット及び／又は探索空間は、前記各信号に対応する上りメッセージの応答メッセージを送信するために用いられる
ことを特徴とする請求項１１７に記載の無線通信方法。
【請求項１１９】
前記方法は、さらに、
前記ネットワークデバイスが前記端末に第１の指示情報を送信することを含み、前記第１の指示情報が前記第１の対応関係を示す
ことを特徴とする請求項１１７又は１１８に記載の無線通信方法。
【請求項１２０】
前記ネットワークデバイスが第１の時間周波数リソースセット及び／又は探索空間を決定することは、
第１の上り送信リソース又は第１のコードに基づいて、前記第１の時間周波数リソースセット及び／又は探索空間を決定することを含み、前記第１の上り送信リソースが前記端末の前記第１の上り信号を送信するリソースであり、前記第１のコードが前記第１の信号を識別するコードである
ことを特徴とする請求項１１１〜１１６のいずれか１項に記載の無線通信方法。
【請求項１２１】
前記第１の上りメッセージの第１の上り送信リソース又は第１のコードに基づいて、前記第１の時間周波数リソースセット及び／又は探索空間を決定することは、
少なくとも１つの上り送信リソース又はコードと少なくとも１つの時間周波数リソースセット及び／又は探索空間との第２の対応関係に基づいて、前記第１の上り送信リソース又は第１のコードに対応する前記第１の時間周波数リソースセット及び／又は探索空間を決定することを含む
ことを特徴とする請求項１２０に記載の無線通信方法。
【請求項１２２】
各上り送信リソース又はコードが前記第１のタイプの少なくとも１つの信号の上りメッセージにそれぞれ対応し、前記各上り送信リソース又はコードに対応する時間周波数リソースセット及び／又は探索空間は、前記各上り送信リソース又はコードを利用して送信した前記上りメッセージの応答メッセージを送信するために用いられる
ことを特徴とする請求項１２１に記載の無線通信方法。
【請求項１２３】
前記方法は、さらに、
前記ネットワークデバイスが前記端末に第２の指示情報を送信することを含み、前記第２の指示情報が前記第２の対応関係を示す
ことを特徴とする請求項１２１に記載の無線通信方法。
【請求項１２４】
前記方法は、さらに、
前記第１の時間周波数リソースセット及び／又は探索空間を利用して第２の応答メッセージを送信することを含み、前記第２の応答メッセージが第１のランダムアクセスリソースで送信された上りメッセージの応答メッセージであり、第１のランダムアクセスリソースが前記第１の上り送信リソースに対応するランダムアクセスリソースである
ことを特徴とする請求項１２１〜１２３のいずれか１項に記載の無線通信方法。
【請求項１２５】
前記第１の上り送信リソース又は第１のコードに基づいて、前記第１の時間周波数リソースセット及び／又は探索空間を決定することは、
第１のランダムアクセスリソースを決定することと、
前記第１のランダムアクセスリソースに基づいて、第３の時間周波数リソースセット及び／又は探索空間を決定することと、
前記第３の時間周波数リソースセット及び／又は探索空間に基づいて、前記第１の時間周波数リソースセット及び／又は探索空間を決定することとを含み、
前記第１のランダムアクセスリソースが前記第１の上り送信リソースに対応するランダムアクセスリソースである
ことを特徴とする請求項１２０に記載の無線通信方法。
【請求項１２６】
前記第３の時間周波数リソースセット及び／又は探索空間が第２の応答メッセージの送信に使用され、前記第２の応答メッセージは、前記第１のランダムアクセスリソースで上り送信された上りアクセスメッセージに対する応答メッセージである
ことを特徴とする請求項１２５に記載の無線通信方法。
【請求項１２７】
前記第１のランダムアクセスリソースに基づいて、第２の時間周波数リソースセット及び／又は探索空間を決定することは、
少なくとも１つのランダムアクセスリソースと少なくとも１つの時間周波数リソースセット及び／又は探索空間との第３の対応関係に基づいて、前記第１のランダムアクセスリソースに対応する前記第２の時間周波数リソースセット及び／又は探索空間を決定することを含む
ことを特徴とする請求項１２５又は１２６に記載の無線通信方法。
【請求項１２８】
各ランダムアクセスリソースに対応する時間周波数リソースセット及び／又は探索空間は、前記各ランダムアクセスリソースで送信された上りアクセスメッセージの応答メッセージの送信に使用される
ことを特徴とする請求項１２７に記載の無線通信方法。
【請求項１２９】
前記第３の時間周波数リソースセット及び／又は探索空間に基づいて、前記第１の時間周波数リソースセット及び／又は探索空間を決定することは、
前記第３の時間周波数リソースセット及び／又は探索空間を、前記第１の時間周波数リソースセット及び／又は探索空間として決定することを含む
ことを特徴とする請求項１２５〜１２８のいずれか１項に記載の無線通信方法。
【請求項１３０】
前記方法は、さらに、
前記ネットワークデバイスが前記端末に第３の指示情報を送信することを含み、前記第３の指示情報が前記第３の対応関係を示す
ことを特徴とする請求項１２７又は１２８に記載の無線通信方法。
【請求項１３１】
前記第１の上り送信リソースと前記第１のアクセスリソースとが、周波数分割多重化又はコード分割多重化される
ことを特徴とする請求項１２５〜１３０のいずれか１項に記載の無線通信方法。
【請求項１３２】
前記第１のタイプの信号は、チャネル状態情報参照信号ＣＳＩ−ＲＳ、又は同期信号ブロックである
ことを特徴とする請求項１１１〜１３１のいずれか１項に記載の無線通信方法。
【請求項１３３】
通信ユニットと、処理ユニットと、を備える端末であって、
前記通信ユニットは、ネットワークデバイスに第１の上りメッセージを送信するように構成され、前記第１の上りメッセージには前記端末の受信した第１の信号の識別情報が含まれ、前記第１の信号が、前記ネットワークデバイスの送信した第１のタイプの少なくとも１つの信号のうちの少なくとも一部の信号を含み、
前記処理ユニットは、第１の時間周波数リソースセット及び／又は探索空間を決定するように構成され、前記第１の時間周波数リソースセット及び／又は探索空間が、前記第１の上りメッセージに対する第１の応答メッセージを受信するために用いられ、
前記通信ユニットは、前記第１の時間周波数リソースセット及び／又は探索空間において、前記第１の応答メッセージを受信するように構成される
ことを特徴とする端末。
【請求項１３４】
前記第１のタイプの少なくとも１つの信号のうちの全ての又は一部の信号は、それぞれの空間受信パラメータに対して非前記第１のタイプである第２のタイプの信号にそれぞれ準コロケーションされることができる
ことを特徴とする請求項１３３に記載の端末。
【請求項１３５】
前記処理ユニットは、さらに、
前記第１の信号の空間受信パラメータに対して準コロケーションされる前記第２のタイプの信号に対応する第２の時間周波数リソースセット及び／又は探索空間に基づいて、前記第１の時間周波数リソースセット及び／又は探索空間を決定するように構成される
ことを特徴とする請求項１３４に記載の端末。
【請求項１３６】
前記処理ユニットは、さらに、
前記第２の時間周波数リソースセット及び／又は探索空間を、前記第１の時間周波数リソースセット及び／又は探索空間として決定するように構成される
ことを特徴とする請求項１３５に記載の端末。
【請求項１３７】
前記第１のタイプの信号のうちの異なる信号は、それぞれ異なる送信ビームを介して搬送される
ことを特徴とする請求項１３３〜１３６のいずれか１項に記載の端末。
【請求項１３８】
前記第１の上りメッセージは、前記端末が前記少なくとも１つの信号を検出した検出結果に基づいて所望する下り送信ビームを前記ネットワークデバイスに通知するために用いられる
ことを特徴とする請求項１３７に記載の端末。
【請求項１３９】
前記処理ユニットは、さらに、
前記第１のタイプの少なくとも１つの信号と少なくとも１つの時間周波数リソースセット及び／又は探索空間との第１の対応関係に基づいて、前記第１の時間周波数リソースセット及び／又は探索空間を決定するように構成される
ことを特徴とする請求項１３３〜１３８のいずれか１項に記載の端末。
【請求項１４０】
前記少なくとも１つの信号の各信号に対応する時間周波数リソースセット及び／又は探索空間は、前記各信号に対応する上りメッセージの応答メッセージを受信するために用いられる
ことを特徴とする請求項１３９に記載の端末。
【請求項１４１】
前記通信ユニットは、さらに、
前記ネットワークデバイスにより送信された第１の指示情報を受信するように構成され、前記第１の指示情報が前記第１の対応関係を示す
ことを特徴とする請求項１３９又は１４０に記載の端末。
【請求項１４２】
前記処理ユニットは、さらに、
第１の上り送信リソース又は第１のコードに基づいて、前記第１の時間周波数リソースセット及び／又は探索空間を決定するように構成され、前記第１の上り送信リソースが前記第１の上り信号を送信するリソースであり、前記第１のコードが前記第１の信号を識別するコードである
ことを特徴とする請求項１３３〜１３８のいずれか１項に記載の端末。
【請求項１４３】
前記処理ユニットは、さらに、
少なくとも１つの上り送信リソース又はコードと少なくとも１つの時間周波数リソースセット及び／又は探索空間との第２の対応関係に基づいて、前記第１の上り送信リソース又は第１のコードに対応する前記第１の時間周波数リソースセット及び／又は探索空間を決定するように構成される
ことを特徴とする請求項１４２に記載の端末。
【請求項１４４】
各上り送信リソース又はコードが前記第１のタイプの少なくとも１つの信号の上りメッセージにそれぞれ対応し、前記各上り送信リソース又はコードに対応する時間周波数リソースセット及び／又は探索空間は、前記各上り送信リソース又はコードを利用して送信した前記上りメッセージの応答メッセージを受信するために用いられる
ことを特徴とする請求項１４３に記載の端末。
【請求項１４５】
前記通信ユニットは、さらに、
前記ネットワークデバイスにより送信された第２の指示情報を受信するように構成され、前記第２の指示情報が前記第２の対応関係を示す
ことを特徴とする請求項１４３に記載の端末。
【請求項１４６】
前記通信ユニットは、さらに、
前記第１の時間周波数リソースセット及び／又は探索空間を利用して第２の応答メッセージを受信するように構成され、前記第２の応答メッセージが第１のランダムアクセスリソースで送信された上りメッセージの応答メッセージであり、第１のランダムアクセスリソースが前記第１の上り送信リソースに対応するランダムアクセスリソースである
ことを特徴とする請求項１４３〜１４５のいずれか１項に記載の端末。
【請求項１４７】
前記処理ユニットは、さらに、
第１のランダムアクセスリソースを決定し、前記第１のランダムアクセスリソースが前記第１の上り送信リソースに対応するランダムアクセスリソースであり、
前記第１のランダムアクセスリソースに基づいて、第３の時間周波数リソースセット及び／又は探索空間を決定し、
前記第３の時間周波数リソースセット及び／又は探索空間に基づいて、前記第１の時間周波数リソースセット及び／又は探索空間を決定するように構成される
ことを特徴とする請求項１４２に記載の端末。
【請求項１４８】
前記第３の時間周波数リソースセット及び／又は探索空間配が、第２の応答メッセージの受信に使用され、前記第２の応答メッセージは、前記第１のランダムアクセスリソースで上り送信された上りアクセスメッセージに対する応答メッセージである
ことを特徴とする請求項１４７に記載の端末。
【請求項１４９】
前記処理ユニットは、さらに、
少なくとも１つのランダムアクセスリソースと少なくとも１つの時間周波数リソースセット及び／又は探索空間との第３の対応関係に基づいて、前記第１のランダムアクセスリソースに対応する前記第２の時間周波数リソースセット及び／又は探索空間を決定するように構成される
ことを特徴とする請求項１４７又は１４８に記載の端末。
【請求項１５０】
各ランダムアクセスリソースに対応する時間周波数リソースセット及び／又は探索空間は、前記各ランダムアクセスリソースで送信された上りアクセスメッセージの応答メッセージの受信に使用される
ことを特徴とする請求項１４９に記載の端末。
【請求項１５１】
前記処理ユニットは、さらに、
前記第３の時間周波数リソースセット及び／又は探索空間を、前記第１の時間周波数リソースセット及び／又は探索空間として決定するように構成される
ことを特徴とする請求項１４７〜１５０のいずれか１項に記載の端末。
【請求項１５２】
前記通信ユニットは、さらに、
前記ネットワークデバイスにより送信された第３の指示情報を受信するように構成され、前記第３の指示情報が前記第３の対応関係を示す
ことを特徴とする請求項１４９又は１５０に記載の端末。
【請求項１５３】
前記第１の上り送信リソースと前記第１のアクセスリソースとが、周波数分割多重化又はコード分割多重化される
ことを特徴とする請求項１４７〜１５２のいずれか１項に記載の端末。
【請求項１５４】
前記第１のタイプの信号は、チャネル状態情報参照信号ＣＳＩ−ＲＳ、又は同期信号ブロックである
ことを特徴とする請求項１３３〜１５３のいずれか１項に記載の端末。
【請求項１５５】
通信ユニットと、処理ユニットと、を備えるネットワークデバイスであって、
前記通信ユニットは、端末により送信された第１の上りメッセージを受信するように構成され、前記第１の上りメッセージには前記端末の受信した第１の信号の識別情報が含まれ、前記第１の信号が、前記ネットワークデバイスの送信した第１のタイプの少なくとも１つの信号のうちの少なくとも一部の信号を含み、
前記処理ユニットは、第１の時間周波数リソースセット及び／又は探索空間を決定するように構成され、前記第１の時間周波数リソースセット及び／又は探索空間が、前記第１の上りメッセージに対する第１の応答メッセージを送信するために用いられ、
前記通信ユニットは、さらに、前記第１の時間周波数リソースセット及び／又は探索空間において、前記第１の応答メッセージを送信するように構成される
ことを特徴とするネットワークデバイス。
【請求項１５６】
前記第１のタイプの少なくとも１つの信号のうちの全ての又は一部の信号は、それぞれの空間受信パラメータに対して非前記第１のタイプである第２のタイプの信号にそれぞれ準コロケーションされることができる
ことを特徴とする請求項１５５に記載のネットワークデバイス。
【請求項１５７】
前記処理ユニットは、さらに、
前記第１の信号の空間受信パラメータに対して準コロケーションされる前記第２のタイプの信号に対応する第２の時間周波数リソースセット及び／又は探索空間に基づいて、前記第１の時間周波数リソースセット及び／又は探索空間を決定するように構成される
ことを特徴とする請求項１５６に記載のネットワークデバイス。
【請求項１５８】
前記処理ユニットは、さらに、
前記第２の時間周波数リソースセット及び／又は探索空間を、前記第１の時間周波数リソースセット及び／又は探索空間として決定するように構成される
ことを特徴とする請求項１５７に記載のネットワークデバイス。
【請求項１５９】
前記第１のタイプの信号のうちの異なる信号は、それぞれ異なる送信ビームを介して搬送される
ことを特徴とする請求項１５５〜１５８のいずれか１項に記載のネットワークデバイス。
【請求項１６０】
前記第１の上りメッセージは、前記端末が前記少なくとも１つの信号を検出した検出結果に基づいて所望する下り送信ビームを前記ネットワークデバイスに通知するために用いられる
ことを特徴とする請求項１５９に記載のネットワークデバイス。
【請求項１６１】
前記処理ユニットは、さらに、
前記第１のタイプの少なくとも１つの信号と少なくとも１つの時間周波数リソースセット及び／又は探索空間との第１の対応関係に基づいて、前記第１の時間周波数リソースセット及び／又は探索空間を決定するように構成される
ことを特徴とする請求項１５５〜１６０のいずれか１項に記載のネットワークデバイス。
【請求項１６２】
前記少なくとも１つの信号の各信号に対応する時間周波数リソースセット及び／又は探索空間は、前記各信号に対応する上りメッセージの応答メッセージを送信するために用いられる
ことを特徴とする請求項１６１に記載のネットワークデバイス。
【請求項１６３】
前記通信ユニットは、さらに、
前記端末に第１の指示情報を送信するように構成され、前記第１の指示情報が前記第１の対応関係を示す
ことを特徴とする請求項１６１又は１６２に記載のネットワークデバイス。
【請求項１６４】
前記処理ユニットは、さらに、
第１の上り送信リソース又は第１のコードに基づいて、前記第１の時間周波数リソースセット及び／又は探索空間を決定するように構成され、前記第１の上り送信リソースが前記端末の前記第１の上り信号を送信するリソースであり、前記第１のコードが前記第１の信号を識別するコードである
ことを特徴とする請求項１５５〜１６０のいずれか１項に記載のネットワークデバイス。
【請求項１６５】
前記処理ユニットは、さらに、
少なくとも１つの上り送信リソース又はコードと少なくとも１つの時間周波数リソースセット及び／又は探索空間との第２の対応関係に基づいて、前記第１の上り送信リソース又は第１のコードに対応する前記第１の時間周波数リソースセット及び／又は探索空間を決定するように構成される
ことを特徴とする請求項１６４に記載のネットワークデバイス。
【請求項１６６】
各上り送信リソース又はコードが前記第１のタイプの少なくとも１つの信号の上りメッセージにそれぞれ対応し、前記各上り送信リソース又はコードに対応する時間周波数リソースセット及び／又は探索空間は、前記各上り送信リソース又はコードを利用して送信した前記上りメッセージの応答メッセージを送信するために用いられる
ことを特徴とする請求項１６５に記載のネットワークデバイス。
【請求項１６７】
前記通信ユニットは、さらに、
前記端末に第２の指示情報を送信するように構成され、前記第２の指示情報が前記第２の対応関係を示す
ことを特徴とする請求項１６５に記載のネットワークデバイス。
【請求項１６８】
前記通信ユニットは、さらに、
前記第１の時間周波数リソースセット及び／又は探索空間を利用して第２の応答メッセージを送信することを含み、前記第２の応答メッセージが第１のランダムアクセスリソースで送信された上りメッセージの応答メッセージであり、第１のランダムアクセスリソースが前記第１の上り送信リソースに対応するランダムアクセスリソースである
ことを特徴とする請求項１６５〜１６７のいずれか１項に記載のネットワークデバイス。
【請求項１６９】
前記処理ユニットは、さらに、
第１のランダムアクセスリソースを決定し、前記第１のランダムアクセスリソースが前記第１の上り送信リソースに対応するランダムアクセスリソースであり、
前記第１のランダムアクセスリソースに基づいて、第３の時間周波数リソースセット及び／又は探索空間を決定し、
前記第３の時間周波数リソースセット及び／又は探索空間に基づいて、前記第１の時間周波数リソースセット及び／又は探索空間を決定するように構成される
ことを特徴とする請求項１６４に記載のネットワークデバイス。
【請求項１７０】
前記第３の時間周波数リソースセット及び／又は探索空間が第２の応答メッセージの送信に使用され、前記第２の応答メッセージは、前記第１のランダムアクセスリソースで上り送信された上りアクセスメッセージに対する応答メッセージである
ことを特徴とする請求項１６９に記載のネットワークデバイス。
【請求項１７１】
前記処理ユニットは、さらに、
少なくとも１つのランダムアクセスリソースと少なくとも１つの時間周波数リソースセット及び／又は探索空間との第３の対応関係に基づいて、前記第１のランダムアクセスリソースに対応する前記第２の時間周波数リソースセット及び／又は探索空間を決定するように構成される
ことを特徴とする請求項１６９又は１７０に記載のネットワークデバイス。
【請求項１７２】
各ランダムアクセスリソースに対応する時間周波数リソースセット及び／又は探索空間は、前記各ランダムアクセスリソースで送信された上りアクセスメッセージの応答メッセージの送信に使用される
ことを特徴とする請求項１７１に記載のネットワークデバイス。
【請求項１７３】
前記処理ユニットは、さらに、
前記第３の時間周波数リソースセット及び／又は探索空間を、前記第１の時間周波数リソースセット及び／又は探索空間として決定するように構成される
ことを特徴とする請求項１６９〜１７２のいずれか１項に記載のネットワークデバイス。
【請求項１７４】
前記通信ユニットは、さらに、
前記端末に第３の指示情報を送信するように構成され、前記第３の指示情報が前記第３の対応関係を示す
ことを特徴とする請求項１７１又は１７２に記載のネットワークデバイス。
【請求項１７５】
前記第１の上り送信リソースと前記第１のアクセスリソースとが、周波数分割多重化又はコード分割多重化される
ことを特徴とする請求項１６９〜１７４のいずれか１項に記載のネットワークデバイス。
【請求項１７６】
前記第１のタイプの信号は、チャネル状態情報参照信号ＣＳＩ−ＲＳ、又は同期信号ブロックである
ことを特徴とする請求項１５５〜１７５のいずれか１項に記載のネットワークデバイス。
【発明の詳細な説明】
【関連出願の参照】
【０００１】
本願は、２０１７年９月２９日に中国特許庁に出願された、出願番号ＰＣＴ／ＣＮ２０１７／１０４５９１、発明名「無線通信方法及びデバイス」のＰＣＴ特許出願の優先権を主張し、その内容全体は、参照により本明細書に組み込まれる。
【技術分野】
【０００２】
本願は、通信分野に関し、具体的に、無線通信方法及びデバイスに関する。
【背景技術】
【０００３】
ネットワークデバイスは、複数の送信ビームで端末に下り信号を送信し、端末は、ネットワークデバイスから送信された下り信号を検出し、ビームの情報、例えば、下りビームに搬送される信号の識別情報をネットワークデバイスに通知することができる。ネットワークデバイスは、端末の報告に応じて、端末に応答メッセージを送信してもよい。
【０００４】
ＮＲ(Ｎｅｗ Ｒａｄｉｏ)システムにおいて、応答メッセージの伝送をどのように実現するかについては、解決策が示されていない。
【発明の概要】
【０００５】
本願の実施例は、ビームを表す下り信号の識別情報が含まれるメッセージに対する応答メッセージの伝送を実現することができる無線通信方法及びデバイスを提供する。
【０００６】
第１の形態は、無線通信方法を提供し、
端末がネットワークデバイスに第１の上りメッセージを送信することと、
前記端末が第１の制御リソースセットＣＯＲＥＳＥＴを決定することと、
前記端末が前記第１のＣＯＲＥＳＥＴにおいて第１の応答メッセージを受信することとを含み、
前記第１の上りメッセージには前記端末の受信した第１の信号の識別情報が含まれ、前記第１の信号が、前記ネットワークデバイスの送信した第１のタイプの少なくとも１つの信号のうちの少なくとも一部の信号を含み、前記第１のＣＯＲＥＳＥＴが前記第１の上りメッセージに対する第１の応答メッセージを受信するために用いられる。
【０００７】
したがって、本願の実施例において、端末がネットワークデバイスに第１の上りメッセージを送信し、前記第１の上りメッセージには前記端末の受信した第１の信号の識別情報が含まれ、前記第１の信号が、前記ネットワークデバイスの送信した第１のタイプの少なくとも１つの信号のうちの少なくとも一部の信号を含み、端末が第１のＣＯＲＥＳＥＴを決定し、端末が前記第１のＣＯＲＥＳＥＴにおいて、前記第１の上りメッセージに対する前記第１の応答メッセージを受信することで、ビームを表す下り信号の識別情報が含まれるメッセージに対する応答メッセージの伝送を実現することができる。
【０００８】
第１の形態と結合し、第１の形態の実現可能な方式において、前記第１のタイプの少なくとも１つの信号のうちの全ての又は一部の信号は、それぞれの空間受信パラメータに対して非前記第１のタイプである第２のタイプの信号にそれぞれ準コロケーションされることができる。
【０００９】
第１の形態又は上記の実現可能な方式と結合し、第１の形態の他の実現可能な方式において、前記端末が第１のＣＯＲＥＳＥＴを決定することは、
前記端末が、前記第１の信号の空間受信パラメータに対して準コロケーションされる前記第２のタイプの信号に対応する第２のＣＯＲＥＳＥＴに基づいて、前記第１のＣＯＲＥＳＥＴを決定することを含む。
【００１０】
第１の形態又は上記の実現可能な方式と結合し、第１の形態の他の実現可能な方式において、前記第１のＣＯＲＥＳＥＴを決定することは、
前記第２のＣＯＲＥＳＥＴを前記第１のＣＯＲＥＳＥＴとして決定することを含む。
【００１１】
第１の形態又は上記の実現可能な方式と結合し、第１の形態の他の実現可能な方式において、前記第１のタイプの信号のうちの異なる信号は、それぞれ異なる送信ビームを介して搬送される。
【００１２】
第１の形態又は上記の実現可能な方式と結合し、第１の形態の他の実現可能な方式において、前記第１の上りメッセージは、前記端末が前記少なくとも１つの信号を検出した検出結果に基づいて所望する下り送信ビームを前記ネットワークデバイスに通知するために用いられる。
【００１３】
第１の形態又は上記の実現可能な方式と結合し、第１の形態の他の実現可能な方式において、前記端末が第１の制御リソースセットＣＯＲＥＳＥＴを決定することは、
前記第１のタイプの少なくとも１つの信号と少なくとも１つのＣＯＲＥＳＥＴとの第１の対応関係に基づいて、前記端末が前記第１のＣＯＲＥＳＥＴを決定することを含む。
【００１４】
第１の形態又は上記の実現可能な方式と結合し、第１の形態の他の実現可能な方式において、前記少なくとも１つの信号の各信号に対応するＣＯＲＥＳＥＴは、前記各信号に対応する上りメッセージの応答メッセージを受信するために用いられる。
【００１５】
第１の形態又は上記の実現可能な方式と結合し、第１の形態の他の実現可能な方式において、前記方法は、さらに、
前記端末が前記ネットワークデバイスにより送信された第１の指示情報を受信することを含み、前記第１の指示情報が前記第１の対応関係を示す。 
第１の形態又は上記の実現可能な方式と結合し、第１の形態の他の実現可能な方式において、前記端末が第１の制御リソースセットＣＯＲＥＳＥＴを決定することは、
第１の上り送信リソース又は第１のコードに基づいて、前記第１のＣＯＲＥＳＥＴを決定することを含み、ここで、前記第１の上り送信リソースが前記第１の上り信号を送信するリソースであり、前記第１のコードが前記第１の信号を識別するコードである。
【００１６】
第１の形態又は上記の実現可能な方式と結合し、第１の形態の他の実現可能な方式において、前記第１の上りメッセージの第１の上り送信リソース又は第１のコードに基づいて、前記第１のＣＯＲＥＳＥＴを決定することは、
少なくとも１つの上り送信リソース又はコードと、少なくとも１つのＣＯＲＥＳＥＴとの第２の対応関係に基づいて、前記第１の上り送信リソース又は第１のコードに対応する前記第１のＣＯＲＥＳＥＴを決定することを含む。
【００１７】
第１の形態又は上記の実現可能な方式と結合し、第１の形態の他の実現可能な方式において、各上り送信リソース又はコードが前記第１のタイプの少なくとも１つの信号の上りメッセージにそれぞれ対応し、前記各上り送信リソース又はコードに対応するＣＯＲＥＳＥＴは、前記各上り送信リソース又はコードを利用して送信した前記上りメッセージの応答メッセージを受信するために用いられる。
【００１８】
第１の形態又は上記の実現可能な方式と結合し、第１の形態の他の実現可能な方式において、前記方法は、さらに、
前記ネットワークデバイスにより送信された第２の指示情報を受信することを含み、前記第２の指示情報が前記第２の対応関係を示す。
【００１９】
第１の形態又は上記の実現可能な方式と結合し、第１の形態の他の実現可能な方式において、前記方法は、さらに、
前記第１のＣＯＲＥＳＥＴを利用して第２の応答メッセージを受信することを含み、前記第２の応答メッセージが第１のランダムアクセスリソースで送信された上りメッセージの応答メッセージであり、第１のランダムアクセスリソースが前記第１の上り送信リソースに対応するランダムアクセスリソースである。
【００２０】
第１の形態又は上記の実現可能な方式と結合し、第１の形態の他の実現可能な方式において、前記第１の上り送信リソース又は第１のコードに基づいて、前記第１のＣＯＲＥＳＥＴを決定することは、
第１のランダムアクセスリソースを決定することと、
前記第１のランダムアクセスリソースに基づいて、第３のＣＯＲＥＳＥＴを決定することと、
前記第３のＣＯＲＥＳＥＴに基づいて、前記第１のＣＯＲＥＳＥＴを決定することとを含み、前記第１のランダムアクセスリソースが前記第１の上り送信リソースに対応するランダムアクセスリソースである。
【００２１】
第１の形態又は上記の実現可能な方式と結合し、第１の形態の他の実現可能な方式において、前記第３のＣＯＲＥＳＥＴが第２の応答メッセージの受信に使用され、前記第２の応答メッセージは、前記第１のランダムアクセスリソースで上り送信された上りアクセスメッセージに対する応答メッセージである。
【００２２】
第１の形態又は上記の実現可能な方式と結合し、第１の形態の他の実現可能な方式において、前記第１のランダムアクセスリソースに基づいて、第２のＣＯＲＥＳＥＴを決定することは、
少なくとも１つのランダムアクセスリソースと少なくとも１つのＣＯＲＥＳＥＴとの第３の対応関係に基づいて、前記第１のランダムアクセスリソースに対応する前記第２のＣＯＲＥＳＥＴを決定することを含む。
【００２３】
第１の形態又は上記の実現可能な方式と結合し、第１の形態の他の実現可能な方式において、各ランダムアクセスリソースに対応するＣＯＲＥＳＥＴは、前記各ランダムアクセスリソースで送信された上りアクセスメッセージの応答メッセージの受信に使用される。
【００２４】
第１の形態又は上記の実現可能な方式と結合し、第１の形態の他の実現可能な方式において、前記第３のＣＯＲＥＳＥＴに基づいて、前記第１のＣＯＲＥＳＥＴを決定することは、
前記第３のＣＯＲＥＳＥＴを、前記第１のＣＯＲＥＳＥＴとして決定することを含む。
【００２５】
第１の形態又は上記の実現可能な方式と結合し、第１の形態の他の実現可能な方式において、前記方法は、さらに、
前記ネットワークデバイスにより送信された第３の指示情報を受信することを含み、前記第３の指示情報が前記第３の対応関係を示す。
【００２６】
第１の形態又は上記の実現可能な方式と結合し、第１の形態の他の実現可能な方式において、前記第１の上り送信リソースと前記第１のアクセスリソースとが、周波数分割多重化又はコード分割多重化される。
【００２７】
第１の形態又は上記の実現可能な方式と結合し、第１の形態の他の実現可能な方式において、前記第１のタイプの信号は、チャネル状態情報参照信号ＣＳＩ−ＲＳ、又は同期信号ブロックである。
【００２８】
第２の形態は、無線通信方法を提供し、
ネットワークデバイスが端末により送信された第１の上りメッセージを受信することと、
前記ネットワークデバイスが第１の制御リソースセットＣＯＲＥＳＥＴを決定することと、
前記ネットワークデバイスが前記第１のＣＯＲＥＳＥＴにおいて、前記第１の応答メッセージを送信することとを含み、
前記第１の上りメッセージには前記端末の受信した第１の信号の識別情報が含まれ、前記第１の信号が、前記ネットワークデバイスの送信した第１のタイプの少なくとも１つの信号のうちの少なくとも一部の信号を含み、前記第１のＣＯＲＥＳＥＴが、前記第１の上りメッセージに対する第１の応答メッセージを送信するために用いられる。
【００２９】
したがって、本願の実施例において、ネットワークデバイスが第１の上りメッセージを受信し、前記第１の上りメッセージには前記端末の受信した第１の信号の識別情報が含まれ、前記第１の信号が、前記ネットワークデバイスの送信した第１のタイプの少なくとも１つの信号のうちの少なくとも一部の信号を含み、ネットワークデバイスが第１のＣＯＲＥＳＥＴを決定し、ネットワークデバイスが前記第１のＣＯＲＥＳＥＴにおいて、前記第１の上りメッセージに対する前記第１の応答メッセージを送信することで、ビームを表す下り信号の識別情報が含まれるメッセージに対する応答メッセージの伝送を実現することができる。
【００３０】
第２の形態と結合し、第２の形態の実現可能な方式において、前記第１のタイプの少なくとも１つの信号のうちの全ての又は一部の信号は、それぞれの空間受信パラメータに対して非前記第１のタイプである第２のタイプの信号にそれぞれ準コロケーションされることができる。
【００３１】
第２の形態又は上記の実現可能な方式と結合し、第２の形態の他の実現可能な方式において、前記ネットワークデバイスが第１の制御リソースセットＣＯＲＥＳＥＴを決定することは、
前記ネットワークデバイスが、前記第１の信号の空間受信パラメータに対して準コロケーションされる前記第２のタイプの信号に対応する第２のＣＯＲＥＳＥＴに基づいて、前記第１のＣＯＲＥＳＥＴを決定することを含む。
【００３２】
第２の形態又は上記の実現可能な方式と結合し、第２の形態の他の実現可能な方式において、前記第１のＣＯＲＥＳＥＴを決定することは、
前記第２のＣＯＲＥＳＥＴを前記第１のＣＯＲＥＳＥＴとして決定することを含む。
【００３３】
第２の形態又は上記の実現可能な方式と結合し、第２の形態の他の実現可能な方式において、前記第１のタイプの信号のうちの異なる信号は、それぞれ異なる送信ビームを介して搬送される。
【００３４】
第２の形態又は上記の実現可能な方式と結合し、第２の形態の他の実現可能な方式において、前記第１の上りメッセージは、前記端末が前記少なくとも１つの信号を検出した検出結果に基づいて所望する下り送信ビームを前記ネットワークデバイスに通知するために用いられる。
【００３５】
第２の形態又は上記の実現可能な方式と結合し、第２の形態の他の実現可能な方式において、前記ネットワークデバイスが第１の制御リソースセットＣＯＲＥＳＥＴを決定することは、
前記第１のタイプの少なくとも１つの信号と少なくとも１つのＣＯＲＥＳＥＴとの第１の対応関係に基づいて、前記ネットワークデバイスが前記第１のＣＯＲＥＳＥＴを決定することを含む。
【００３６】
第２の形態又は上記の実現可能な方式と結合し、第２の形態の他の実現可能な方式において、前記少なくとも１つの信号の各信号に対応するＣＯＲＥＳＥＴは、前記各信号に対応する上りメッセージの応答メッセージを送信するために用いられる。
【００３７】
第２の形態又は上記の実現可能な方式と結合し、第２の形態の他の実現可能な方式において、前記方法は、さらに、
前記ネットワークデバイスが前記端末に第１の指示情報を送信することを含み、前記第１の指示情報が前記第１の対応関係を示す。 
第２の形態又は上記の実現可能な方式と結合し、第２の形態の他の実現可能な方式において、前記ネットワークデバイスが第１の制御リソースセットＣＯＲＥＳＥＴを決定することは、
第１の上り送信リソース又は第１のコードに基づいて、前記第１のＣＯＲＥＳＥＴを決定することを含み、ここで、前記第１の上り送信リソースが前記端末の前記第１の上り信号を送信するリソースであり、前記第１のコードが前記第１の信号を識別するコードである。
【００３８】
第２の形態又は上記の実現可能な方式と結合し、第２の形態の他の実現可能な方式において、前記第１の上りメッセージの第１の上り送信リソース又は第１のコードに基づいて、前記第１のＣＯＲＥＳＥＴを決定することは、
少なくとも１つの上り送信リソース又はコードと、少なくとも１つのＣＯＲＥＳＥＴとの第２の対応関係に基づいて、前記第１の上り送信リソース又は第１のコードに対応する前記第１のＣＯＲＥＳＥＴを決定することを含む。
【００３９】
第２の形態又は上記の実現可能な方式と結合し、第２の形態の他の実現可能な方式において、各上り送信リソース又はコードが前記第１のタイプの少なくとも１つの信号の上りメッセージにそれぞれ対応し、前記各上り送信リソース又はコードに対応するＣＯＲＥＳＥＴは、前記各上り送信リソース又はコードを利用して送信した前記上りメッセージの応答メッセージの送信に使用される。
【００４０】
第２の形態又は上記の実現可能な方式と結合し、第２の形態の他の実現可能な方式において、前記方法は、さらに、
前記ネットワークデバイスが前記端末に第２の指示情報を送信することを含み、前記第２の指示情報が前記第２の対応関係を示す。
【００４１】
第２の形態又は上記の実現可能な方式と結合し、第２の形態の他の実現可能な方式において、前記方法は、さらに、
前記第１のＣＯＲＥＳＥＴを利用して第２の応答メッセージを送信することを含み、前記第２の応答メッセージが第１のランダムアクセスリソースで送信された上りメッセージの応答メッセージであり、第１のランダムアクセスリソースが前記第１の上り送信リソースに対応するランダムアクセスリソースである。
【００４２】
第２の形態又は上記の実現可能な方式と結合し、第２の形態の他の実現可能な方式において、前記第１の上り送信リソース又は第１のコードに基づいて、前記第１のＣＯＲＥＳＥＴを決定することは、
第１のランダムアクセスリソースを決定することと、
前記第１のランダムアクセスリソースに基づいて、第３のＣＯＲＥＳＥＴを決定することと、
前記第３のＣＯＲＥＳＥＴに基づいて、前記第１のＣＯＲＥＳＥＴを決定することとを含み、
前記第１のランダムアクセスリソースが前記第１の上り送信リソースに対応するランダムアクセスリソースである。
【００４３】
第２の形態又は上記の実現可能な方式と結合し、第２の形態の他の実現可能な方式において、前記第３のＣＯＲＥＳＥＴが第２の応答メッセージの送信に使用され、前記第２の応答メッセージは、前記第１のランダムアクセスリソースで上り送信された上りアクセスメッセージに対する応答メッセージである。
【００４４】
第２の形態又は上記の実現可能な方式と結合し、第２の形態の他の実現可能な方式において、前記第１のランダムアクセスリソースに基づいて、第２のＣＯＲＥＳＥＴを決定することは、
少なくとも１つのランダムアクセスリソースと少なくとも１つのＣＯＲＥＳＥＴとの第３の対応関係に基づいて、前記第１のランダムアクセスリソースに対応する前記第２のＣＯＲＥＳＥＴを決定することを含む。
【００４５】
第２の形態又は上記の実現可能な方式と結合し、第２の形態の他の実現可能な方式において、各ランダムアクセスリソースに対応するＣＯＲＥＳＥＴは、前記各ランダムアクセスリソースで送信された上りアクセスメッセージの応答メッセージの送信に使用される。
【００４６】
第２の形態又は上記の実現可能な方式と結合し、第２の形態の他の実現可能な方式において、前記第３のＣＯＲＥＳＥＴに基づいて、前記第１のＣＯＲＥＳＥＴを決定することは、
前記第３のＣＯＲＥＳＥＴを、前記第１のＣＯＲＥＳＥＴとして決定することを含む。
【００４７】
第２の形態又は上記の実現可能な方式と結合し、第２の形態の他の実現可能な方式において、前記方法は、さらに、
前記ネットワークデバイスが前記端末に第３の指示情報を送信することを含み、前記第３の指示情報が前記第３の対応関係を示す。
【００４８】
第２の形態又は上記の実現可能な方式と結合し、第２の形態の他の実現可能な方式において、前記第１の上り送信リソースと前記第１のアクセスリソースとが、周波数分割多重化又はコード分割多重化される。
【００４９】
第２の形態又は上記の実現可能な方式と結合し、第２の形態の他の実現可能な方式において、前記第１のタイプの信号は、チャネル状態情報参照信号ＣＳＩ−ＲＳ、又は同期信号ブロックである。
【００５０】
第３の形態は、無線通信方法を提供し、
端末がネットワークデバイスに第１の上りメッセージを送信することと、
前記端末が第１の時間領域リソースセット及び／又は探索空間を決定することと、
前記端末が前記第１の時間領域リソースセット及び／又は探索空間において、前記第１の応答メッセージを受信することとを含み、
前記第１の上りメッセージには前記端末の受信した第１の信号の識別情報が含まれ、前記第１の信号が、前記ネットワークデバイスの送信した第１のタイプの少なくとも１つの信号のうちの少なくとも一部の信号を含み、前記第１の時間領域リソースセット及び／又は探索空間が前記第１の上りメッセージに対する第１の応答メッセージを受信するために用いられる。
【００５１】
したがって、本願の実施例において、端末がネットワークデバイスに第１の上りメッセージを送信し、前記第１の上りメッセージには前記端末の受信した第１の信号の識別情報が含まれ、前記第１の信号が、前記ネットワークデバイスの送信した第１のタイプの少なくとも１つの信号のうちの少なくとも一部の信号を含み、端末が第１の時間領域リソースセット及び／又は探索空間を決定し、端末が前記第１の時間領域リソースセット及び／又は探索空間において、前記第１の上りメッセージに対する前記第１の応答メッセージを受信することで、ビームを表す下り信号の識別情報が含まれるメッセージに対する応答メッセージの伝送を実現することができる。
【００５２】
第３の形態と結合し、第３の形態の実現可能な方式において、前記第１のタイプの少なくとも１つの信号のうちの全ての又は一部の信号は、それぞれの空間受信パラメータに対して非前記第１のタイプである第２のタイプの信号にそれぞれ準コロケーションされることができる。
【００５３】
第３の形態又は上記の実現可能な方式と結合し、第３の形態の他の実現可能な方式において、前記端末が第１の時間領域リソースセット及び／又は探索空間を決定することは、
前記端末が前記第１の信号が空間受信パラメータに対して準コロケーションされる前記第２のタイプの信号に対応する第２の時間領域リソースセット及び／又は探索空間に基づいて、前記第１の時間領域リソースセット及び／又は探索空間を決定することを含む。
【００５４】
第３の形態又は上記の実現可能な方式と結合し、第３の形態の他の実現可能な方式において、前記第１の時間領域リソースセット及び／又は探索空間を決定することは、
前記第２の時間領域リソースセット及び／又は探索空間を、前記第１の時間領域リソースセット及び／又は探索空間として決定することを含む。
【００５５】
第３の形態又は上記の実現可能な方式と結合し、第３の形態の他の実現可能な方式において、前記第１のタイプの信号のうちの異なる信号は、それぞれ異なる送信ビームを介して搬送される。
【００５６】
第３の形態又は上記の実現可能な方式と結合し、第３の形態の他の実現可能な方式において、前記第１の上りメッセージは、前記端末が前記少なくとも１つの信号を検出した検出結果に基づいて所望する下り送信ビームを前記ネットワークデバイスに通知するために用いられる。
【００５７】
第３の形態又は上記の実現可能な方式と結合し、第３の形態の他の実現可能な方式において、前記端末が第１の時間領域リソースセット及び／又は探索空間を決定することは、
前記第１のタイプの少なくとも１つの信号と少なくとも１つの時間領域リソースセット及び／又は探索空間との第１の対応関係に基づいて、前記端末が前記第１の時間領域リソースセット及び／又は探索空間を決定することを含む。
【００５８】
第３の形態又は上記の実現可能な方式と結合し、第３の形態の他の実現可能な方式において、前記少なくとも１つの信号の各信号に対応する時間領域リソースセット及び／又は探索空間は、前記各信号に対応する上りメッセージの応答メッセージを受信するために用いられる。
【００５９】
第３の形態又は上記の実現可能な方式と結合し、第３の形態の他の実現可能な方式において、前記方法は、さらに、
前記端末が前記ネットワークデバイスにより送信された第１の指示情報を受信することを含み、前記第１の指示情報が前記第１の対応関係を示す。 
第３の形態又は上記の実現可能な方式と結合し、第３の形態の他の実現可能な方式において、前記端末が第１の時間領域リソースセット及び／又は探索空間を決定することは、
第１の上り送信リソース又は第１のコードに基づいて、前記第１の時間領域リソースセット及び／又は探索空間を決定することを含み、ここで、前記第１の上り送信リソースが前記第１の上り信号を送信するリソースであり、前記第１のコードが前記第１の信号を識別するコードである。
【００６０】
第３の形態又は上記の実現可能な方式と結合し、第３の形態の他の実現可能な方式において、前記第１の上りメッセージの第１の上り送信リソース又は第１のコードに基づいて、前記第１の時間領域リソースセット及び／又は探索空間を決定することは、
少なくとも１つの上り送信リソース又はコードと少なくとも１つの時間領域リソースセット及び／又は探索空間との第２の対応関係に基づいて、前記第１の上り送信リソース又は第１のコードに対応する前記第１の時間領域リソースセット及び／又は探索空間を決定することを含む。
【００６１】
第３の形態又は上記の実現可能な方式と結合し、第３の形態の他の実現可能な方式において、各上り送信リソース又はコードが前記第１のタイプの少なくとも１つの信号の上りメッセージにそれぞれ対応し、前記各上り送信リソース又はコードに対応する時間領域リソースセット及び／又は探索空間は、前記各上り送信リソース又はコードを利用して送信した前記上りメッセージの応答メッセージを受信するために用いられる。
【００６２】
第３の形態又は上記の実現可能な方式と結合し、第３の形態の他の実現可能な方式において、前記方法は、さらに、
前記ネットワークデバイスにより送信された第２の指示情報を受信することを含み、前記第２の指示情報が前記第２の対応関係を示す。
【００６３】
第３の形態又は上記の実現可能な方式と結合し、第３の形態の他の実現可能な方式において、前記方法は、さらに、
前記第１の時間領域リソースセット及び／又は探索空間を利用して、第２の応答メッセージを受信することを含み、前記第２の応答メッセージが第１のランダムアクセスリソースで送信された上りメッセージの応答メッセージであり、第１のランダムアクセスリソースが前記第１の上り送信リソースに対応するランダムアクセスリソースである。
【００６４】
第３の形態又は上記の実現可能な方式と結合し、第３の形態の他の実現可能な方式において、前記第１の上り送信リソース又は第１のコードに基づいて、前記第１の時間領域リソースセット及び／又は探索空間を決定することは、
第１のランダムアクセスリソースを決定することと、
前記第１のランダムアクセスリソースに基づいて、第３の時間領域リソースセット及び／又は探索空間を決定することと、
前記第３の時間領域リソースセット及び／又は探索空間に基づいて、前記第１の時間領域リソースセット及び／又は探索空間を決定することとを含み、
前記第１のランダムアクセスリソースが前記第１の上り送信リソースに対応するランダムアクセスリソースである。
【００６５】
第３の形態又は上記の実現可能な方式と結合し、第３の形態の他の実現可能な方式において、前記第３の時間領域リソースセット及び／又は探索空間が、第２の応答メッセージの受信に使用され、前記第２の応答メッセージは、前記第１のランダムアクセスリソースで上り送信された上りアクセスメッセージに対する応答メッセージである。
【００６６】
第３の形態又は上記の実現可能な方式と結合し、第３の形態の他の実現可能な方式において、前記第１のランダムアクセスリソースに基づいて、第２の時間領域リソースセット及び／又は探索空間を決定することは、
少なくとも１つのランダムアクセスリソースと少なくとも１つの時間領域リソースセット及び／又は探索空間との第３の対応関係に基づいて、前記第１のランダムアクセスリソースに対応する前記第２の時間領域リソースセット及び／又は探索空間を決定することを含む。
【００６７】
第３の形態又は上記の実現可能な方式と結合し、第３の形態の他の実現可能な方式において、各ランダムアクセスリソースに対応する時間領域リソースセット及び／又は探索空間は、前記各ランダムアクセスリソースで送信された上りアクセスメッセージの応答メッセージの受信に使用される。
【００６８】
第３の形態又は上記の実現可能な方式と結合し、第３の形態の他の実現可能な方式において、前記第３の時間領域リソースセット及び／又は探索空間に基づいて、前記第１の時間領域リソースセット及び／又は探索空間を決定することは、
前記第３の時間領域リソースセット及び／又は探索空間を、前記第１の時間領域リソースセット及び／又は探索空間として決定することを含む。
【００６９】
第３の形態又は上記の実現可能な方式と結合し、第３の形態の他の実現可能な方式において、前記方法は、さらに、
前記ネットワークデバイスにより送信された第３の指示情報を受信することを含み、前記第３の指示情報が前記第３の対応関係を示す。
【００７０】
第３の形態又は上記の実現可能な方式と結合し、第３の形態の他の実現可能な方式において、前記第１の上り送信リソースと前記第１のアクセスリソースとが、周波数分割多重化又はコード分割多重化される。
【００７１】
第３の形態又は上記の実現可能な方式と結合し、第３の形態の他の実現可能な方式において、前記第１のタイプの信号は、チャネル状態情報参照信号ＣＳＩ−ＲＳ、又は同期信号ブロックである。
【００７２】
第４の形態は、無線通信方法を提供し、
ネットワークデバイスが端末により送信された第１の上りメッセージを受信することと、
前記ネットワークデバイスが第１の時間領域リソースセット及び／又は探索空間を決定することと、
前記ネットワークデバイスが前記第１の時間領域リソースセット及び／又は探索空間において、前記第１の応答メッセージを送信することとを含み、
前記第１の上りメッセージには前記端末の受信した第１の信号の識別情報が含まれ、前記第１の信号が、前記ネットワークデバイスの送信した第１のタイプの少なくとも１つの信号のうちの少なくとも一部の信号を含み、前記第１の時間領域リソースセット及び／又は探索空間が前記第１の上りメッセージに対する第１の応答メッセージを送信するために用いられる。
【００７３】
したがって、本願の実施例において、ネットワークデバイスが第１の上りメッセージを受信し、前記第１の上りメッセージには前記端末の受信した第１の信号の識別情報が含まれ、前記第１の信号が、前記ネットワークデバイスの送信した第１のタイプの少なくとも１つの信号のうちの少なくとも一部の信号を含み、ネットワークデバイスが第１の時間領域リソースセット及び／又は探索空間を決定し、ネットワークデバイスが前記第１の時間領域リソースセット及び／又は探索空間において、前記第１の上りメッセージに対する前記第１の応答メッセージを送信することで、ビームを表す下り信号の識別情報が含まれるメッセージに対する応答メッセージの伝送を実現することができる。
【００７４】
第４の形態と結合し、第４の形態の実現可能な方式において、前記第１のタイプの少なくとも１つの信号のうちの全ての又は一部の信号は、それぞれの空間受信パラメータに対して非前記第１のタイプである第２のタイプの信号にそれぞれ準コロケーションされることができる。
【００７５】
第４の形態又は上記の実現可能な方式と結合し、第４の形態の他の実現可能な方式において、前記ネットワークデバイスが第１の時間領域リソースセット及び／又は探索空間を決定することは、
前記ネットワークデバイスが前記第１の信号が空間受信パラメータに対して準コロケーションされる前記第２のタイプの信号に対応する第２の時間領域リソースセット及び／又は探索空間に基づいて、前記第１の時間領域リソースセット及び／又は探索空間を決定することを含む。
【００７６】
第４の形態又は上記の実現可能な方式と結合し、第４の形態の他の実現可能な方式において、前記第１の時間領域リソースセット及び／又は探索空間を決定することは、
前記第２の時間領域リソースセット及び／又は探索空間を、前記第１の時間領域リソースセット及び／又は探索空間として決定することを含む。
【００７７】
第４の形態又は上記の実現可能な方式と結合し、第４の形態の他の実現可能な方式において、前記第１のタイプの信号のうちの異なる信号は、それぞれ異なる送信ビームを介して搬送される。
【００７８】
第４の形態又は上記の実現可能な方式と結合し、第４の形態の他の実現可能な方式において、前記第１の上りメッセージは、前記端末が前記少なくとも１つの信号を検出した検出結果に基づいて所望する下り送信ビームを前記ネットワークデバイスに通知するために用いられる。
【００７９】
第４の形態又は上記の実現可能な方式と結合し、第４の形態の他の実現可能な方式において、前記ネットワークデバイスが第１の時間領域リソースセット及び／又は探索空間を決定することは、
前記第１のタイプの少なくとも１つの信号と少なくとも１つの時間領域リソースセット及び／又は探索空間との第１の対応関係に基づいて、前記ネットワークデバイスが前記第１の時間領域リソースセット及び／又は探索空間を確定することを含む。
【００８０】
第４の形態又は上記の実現可能な方式と結合し、第４の形態の他の実現可能な方式において、前記少なくとも１つの信号の各信号に対応する時間領域リソースセット及び／又は探索空間は、前記各信号に対応する上りメッセージの応答メッセージを送信するために用いられる。
【００８１】
第４の形態又は上記の実現可能な方式と結合し、第４の形態の他の実現可能な方式において、前記方法は、さらに、
前記ネットワークデバイスが前記端末に第１の指示情報を送信することを含み、前記第１の指示情報が前記第１の対応関係を示す。 
第４の形態又は上記の実現可能な方式と結合し、第４の形態の他の実現可能な方式において、前記ネットワークデバイスが第１の時間領域リソースセット及び／又は探索空間を決定することは、
第１の上り送信リソース又は第１のコードに基づいて、前記第１の時間領域リソースセット及び／又は探索空間を決定することを含み、ここで、前記第１の上り送信リソースが前記端末の前記第１の上り信号を送信するリソースであり、前記第１のコードが前記第１の信号を識別するコードである。
【００８２】
第４の形態又は上記の実現可能な方式と結合し、第４の形態の他の実現可能な方式において、前記第１の上りメッセージの第１の上り送信リソース又は第１のコードに基づいて、前記第１の時間領域リソースセット及び／又は探索空間を決定することは、
少なくとも１つの上り送信リソース又はコードと少なくとも１つの時間領域リソースセット及び／又は探索空間との第２の対応関係に基づいて、前記第１の上り送信リソース又は第１のコードに対応する前記第１の時間領域リソースセット及び／又は探索空間を決定することを含む。
【００８３】
第４の形態又は上記の実現可能な方式と結合し、第４の形態の他の実現可能な方式において、各上り送信リソース又はコードが前記第１のタイプの少なくとも１つの信号の上りメッセージにそれぞれ対応し、前記各上り送信リソース又はコードに対応する時間領域リソースセット及び／又は探索空間は、前記各上り送信リソース又はコードを利用して送信した前記上りメッセージの応答メッセージを送信するために用いられる。
【００８４】
第４の形態又は上記の実現可能な方式と結合し、第４の形態の他の実現可能な方式において、前記方法は、さらに、
前記ネットワークデバイスが前記端末に第２の指示情報を送信することを含み、前記第２の指示情報が前記第２の対応関係を示す。
【００８５】
第４の形態又は上記の実現可能な方式と結合し、第４の形態の他の実現可能な方式において、前記方法は、さらに、
前記第１の時間領域リソースセット及び／又は探索空間を利用して、第２の応答メッセージを送信することを含み、前記第２の応答メッセージが第１のランダムアクセスリソースで送信された上りメッセージの応答メッセージであり、第１のランダムアクセスリソースが前記第１の上り送信リソースに対応するランダムアクセスリソースである。
【００８６】
第４の形態又は上記の実現可能な方式と結合し、第４の形態の他の実現可能な方式において、前記第１の上り送信リソース又は第１のコードに基づいて、前記第１の時間領域リソースセット及び／又は探索空間を決定することは、
第１のランダムアクセスリソースを決定することと、
前記第１のランダムアクセスリソースに基づいて、第３の時間領域リソースセット及び／又は探索空間を決定することと、
前記第３の時間領域リソースセット及び／又は探索空間に基づいて、前記第１の時間領域リソースセット及び／又は探索空間を決定することとを含み、
前記第１のランダムアクセスリソースが前記第１の上り送信リソースに対応するランダムアクセスリソースである。
【００８７】
第４の形態又は上記の実現可能な方式と結合し、第４の形態の他の実現可能な方式において、前記第３の時間領域リソースセット及び／又は探索空間は、第２の応答メッセージの送信に使用され、前記第２の応答メッセージは、前記第１のランダムアクセスリソースで上り送信された上りアクセスメッセージに対する応答メッセージである。
【００８８】
第４の形態又は上記の実現可能な方式と結合し、第４の形態の他の実現可能な方式において、前記第１のランダムアクセスリソースに基づいて、第２の時間領域リソースセット及び／又は探索空間を決定することは、
少なくとも１つのランダムアクセスリソースと少なくとも１つの時間領域リソースセット及び／又は探索空間との第３の対応関係に基づいて、前記第１のランダムアクセスリソースに対応する前記第２の時間領域リソースセット及び／又は探索空間を決定することを含む。
【００８９】
第４の形態又は上記の実現可能な方式と結合し、第４の形態の他の実現可能な方式において、各ランダムアクセスリソースに対応する時間領域リソースセット及び／又は探索空間は、前記各ランダムアクセスリソースで送信された上りアクセスメッセージの応答メッセージの送信に使用される。
【００９０】
第４の形態又は上記の実現可能な方式と結合し、第４の形態の他の実現可能な方式において、前記第３の時間領域リソースセット及び／又は探索空間に基づいて、前記第１の時間領域リソースセット及び／又は探索空間を決定することは、
前記第３の時間領域リソースセット及び／又は探索空間を、前記第１の時間領域リソースセット及び／又は探索空間として決定することを含む。
【００９１】
第４の形態又は上記の実現可能な方式と結合し、第４の形態の他の実現可能な方式において、前記方法は、さらに、
前記ネットワークデバイスが前記端末に第３の指示情報を送信することを含み、前記第３の指示情報が前記第３の対応関係を示す。
【００９２】
第４の形態又は上記の実現可能な方式と結合し、第４の形態の他の実現可能な方式において、前記第１の上り送信リソースと前記第１のアクセスリソースとが、周波数分割多重化又はコード分割多重化される。
【００９３】
第４の形態又は上記の実現可能な方式と結合し、第４の形態の他の実現可能な方式において、前記第１のタイプの信号は、チャネル状態情報参照信号ＣＳＩ−ＲＳ、又は同期信号ブロックである。
【００９４】
第５の態様は、上記の第１の態様もしくは第１の態様の任意の可能な実装、または第３の態様もしくは第３の態様の任意の可能な実装における方法を実行するための端末を提供する。具体的には、端末デバイスは、上記の第１の態様または第１の態様の任意の可能な実装、第３の態様または第３の態様の任意の可能な実装における方法を実行するための機能モジュールを含む。
【００９５】
第６の態様は、上述の第２の態様もしくは第２の態様の任意の可能な実装、または第４の態様もしくは第４の態様の任意の可能な実装における方法を実行するためのネットワークデバイスを提供する。具体的には、ネットワークデバイスは、上記の第２の態様または第２の態様の任意の可能な実装、第４の態様または第４の態様の任意の可能な実装における方法を実行するための機能モジュールを含む。
【００９６】
第７の態様は、プロセッサと、メモリと、送受信機とを含む端末を提供する。プロセッサ、メモリ、および送受信機は、内部接続経路を介して互いに通信し、制御信号および/またはデータ信号を通信し、それによって、端末は、第１の態様または第１の態様の任意の可能な実装、第３の態様または第３の態様の任意の可能な実装のいずれかにおける方法を実行する。 
第８の態様は、プロセッサと、メモリと、送受信機とを含むネットワークデバイスを提供する。プロセッサ、メモリ、および送受信機は、内部接続経路を介して互いに通信し、制御信号および/またはデータ信号を通信し、それによって、ネットワークデバイスは、第２の態様または第２の態様の任意の可能な実装、第４の態様または第４の態様の任意の可能な実装のいずれかにおける方法を実行する。
【００９７】
第９の態様は、上述の方法のいずれかまたは可能な実装のいずれかを実行するための命令を含むコンピュータプログラムを記憶するためのコンピュータ可読媒体を提供する。
【００９８】
第１０の態様は、命令を含むコンピュータプログラム製品を提供し、コンピュータプログラム製品は、コンピュータ上で実行されると、コンピュータに、上述の方法のいずれかまたは可能な実装のいずれかを実行させる。
【図面の簡単な説明】
【００９９】
本開示の上記および他の特徴およびメリットは、添付の図面を参照して詳細に説明する例示的な実施例により、より明らかになる。なお、以下の記載における図面は本発明の一部の実施例に過ぎず、当業者の場合、創造的な労働を付与しない前提で、これらの図面によって他の図面を得ることができる。
【図１】本願の実施例における無線通信システムの模式図である。
【図２】本願の実施例における無線通信方法のフローチャートである。
【図３】本願の実施例における無線通信方法のフローチャートである。
【図４】本願の実施例における無線通信方法のフローチャートである。
【図５】本願の実施例における無線通信方法のフローチャートである。
【図６】本願の実施例における端末のブロック図である。
【図７】本願の実施例におけるネットワークデバイスのブロック図である。
【図８】本願の実施例におけるシステムチップのブロック図である。
【図９】本願の実施例における通信デバイスのブロック図である。
【発明を実施するための形態】
【０１００】
以下、本発明の実施の形態について図面を参照して説明するが、本発明は、この実施の形態に限定されるものではなく、本発明の技術的思想に基づく各種の変形が可能である。本願における実施例に基づいて、当業者が創造的な労働をすることなく得られる全ての他の実施例は、本願の保護範囲に属する。
【０１０１】
本願実施例の技術は、様々な通信システムに適用可能であり、例えば、Ｇｌｏｂａｌ Ｓｙｓｔｅｍ ｏｆ Ｍｏｂｉｌｅ Ｃｏｍｍｕｎｉｃａｔｉｏｎ ( ＧＳＭ )システム、Ｃｏｄｅ Ｄｉｖｉｓｉｏｎ Ｍｕｌｔｉｐｌｅ Ａｃｃｅｓｓ ( ＣＤＭＡ )システム、Ｗｉｄｅｂａｎｄ Ｃｏｄｅ Ｄｉｖｉｓｉｏｎ Ｍｕｌｔｉｐｌｅ Ａｃｃｅｓｓ ( ＷＣＤＭＡ )システム、Ｇｅｎｅｒａｌ Ｐａｃｋｅｔ Ｒａｄｉｏ Ｓｅｒｖｉｃｅ ( ＧＰＲＳ )システム、Ｌｏｎｇ Ｔｅｒｍ Ｅｖｏｌｕｔｉｏｎ ( ＬＴＥ )システム、Ｆｒｅｑｕｅｎｃｙ Ｄｉｖｉｓｉｏｎ Ｄｕｐｌｅｘ ( ＦＤＤ )システム、Ｔｉｍｅ  Ｄｉｖｉｓｉｏｎ  Ｄｕｐｌｅｘ ( ＴＤＤ )システム、Ｕｎｉｖｅｒｓａｌ Ｍｏｂｉｌｅ Ｔｅｌｅｃｏｍｍｕｎｉｃａｔｉｏｎ Ｓｙｓｔｅｍ ( ＵＭＴＳ )システム、Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ ( ＷｉＭＡＸ )システム、将来の５Ｇシステム等適用することができる。
【０１０２】
図１は、本願の実施例が適用される無線通信システム１００を示す。無線通信システム１００は、ネットワークデバイス１１０を含み得る。ネットワークデバイス１００は、端末デバイスと通信する装置であってもよい。ネットワークデバイス１００は、特定の地理的エリアに通信カバレッジを提供し得、カバレッジエリア内に配置されたＵＥなどの端末デバイスと通信し得る。任意選択で、ネットワークデバイス１００は、ＧＳＭシステムまたはＣＤＭＡシステムにおける基地局( Ｂａｓｅ Ｔｒａｎｓｃｅｉｖｅｒ Ｓｔａｔｉｏｎ、ＢＴＳ )、ＷＣＤＭＡシステムにおける基地局( ＮｏｄｅＢ、ＮＢ )、ＬＴＥシステムにおける発展型基地局( Ｅｖｏｌｕｔｉｏｎａｌ Ｎｏｄｅ Ｂ、ｅＮＢ、又はｅＮｏｄｅＢ )、またはクラウド無線アクセスネットワーク( Ｃｌｏｕｄ Ｒａｄｉｏ Ａｃｃｅｓｓ Ｎｅｔｗｏｒｋ、ＣＲＡＮ )における無線コントローラであってもよく、または中継局、アクセスポイント、車載装置、ウェアラブル装置、将来の５Ｇネットワークにおけるネットワーク側装置、または将来の公衆地上モバイルネットワーク( Ｐｕｂｌｉｃ Ｌａｎｄ Ｍｏｂｉｌｅ Ｎｅｔｗｏｒｋ、ＰＬＭＮ )におけるネットワークデバイスなどであってもよい。
【０１０３】
無線通信システム１００は、ネットワークデバイス１１０のカバレージ内に配置された少なくとも１つの端末デバイス１２０をさらに含む。端末デバイス１２０は、移動型であってもよく、固定型であってもよい。任意選択で、端末デバイス１２０は、アクセス端末、ユーザ機器( Ｕｓｅｒ Ｅｑｕｉｐｍｅｎｔ、ＵＥ )、ユーザ装置、ユーザ局、移動局、モバイル、リモート局、リモート端末、モバイル機器、ユーザ端末、無線通信機器、ユーザエージェント、またはユーザ装置を指し得る。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来開発されるＰＬＭＮにおける端末デバイスなどであり得る。
【０１０４】
任意選択で、端末デバイス１２０間の端末直接接続( Ｄｅｖｉｃｅ ｔｏ Ｄｅｖｉｃｅ、Ｄ２Ｄ )通信が行われてもよい。
【０１０５】
任意選択で、５Ｇシステム又はネットワークは、新たな無線( Ｎｅｗ Ｒａｄｉｏ、ＮＲ )システム又はネットワークと呼ばれることもある。
【０１０６】
図１は、１つのネットワークデバイス及び２つの端末デバイスを例示的に示し、任意選択で、無線通信システム１００は、複数のネットワークデバイスを含み、各ネットワークデバイスのカバレージ内に他の数の端末デバイスを含んでもよく、本願の実施例は、これに限定されない。
【０１０７】
任意選択で、無線通信システム１００は、ネットワークコントローラ、モビリティ管理エンティティなどの他のネットワークエンティティをさらに含むことができ、本願の実施例はこれに限定されない。
【０１０８】
本明細書において、「システム」および「ネットワーク」という用語は、しばしば、本明細書において交換可能に使用されることが理解される。ここで、及び/又はとは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「／」の文字は、前後の関連オブジェクトが一種の「または」の関係であることを一般的に示す。
【０１０９】
図２は、本願の実施例による無線通信方法２００の概略的なフローチャートである。方法２００は、任意選択で、図１に示されるシステムに適用され得るが、これに限定されない。方法２００は、任意選択で、端末によって実行され得る。方法２００は、以下の少なくとも一部を含む。
【０１１０】
２１０において、端末がネットワークデバイスに第１の上りメッセージを送信し、該第１の上りメッセージには該端末が受信した第１の信号の識別情報が含まれ、該第１の信号が該ネットワークデバイスから送信された第１のタイプの少なくとも１つの信号のうちの少なくとも一部の信号を含む。
【０１１１】
任意選択で、この第１のタイプの信号は、チャネル状態情報参照信号( Ｃｈａｎｎｅｌ Ｓｔａｔｅ Ｉｎｆｏｒｍａｔｉｏｎ Ｒｅｆｅｒｅｎｃｅ Ｓｉｇｎａｌ、ＣＳＩ−ＲＳ )、または同期信号ブロック( Ｓｙｎｃｈｒｏｎｉｚａｔｉｏｎ Ｓｉｇｎａｌ Ｂｌｏｃｋ、ＳＳ Ｂｌｏｃｋ )である。
【０１１２】
任意選択で、該第１のタイプの少なくとも１つの信号のうちの全ての又は一部の信号は、それぞれの空間受信パラメータに対して非該第１のタイプの第２のタイプの信号にそれぞれ準コロケーションされることができる。
【０１１３】
具体的には、第１のタイプの信号は、空間受信パラメータに対して第２のタイプの信号に準コロケーションされてもよく、すなわち、ネットワークは、ビーム１で第１のタイプの信号１を送信し、信号１が第２のタイプの信号２とが空間受信パラメータに対して準コロケーションされる場合、ネットワークは、送信ビーム１で信号２を送信し、または、端末は、送信ビーム１と同じ上り送信ビーム１で信号２を送信する。
【０１１４】
任意選択で、該第１のタイプの信号のうちの異なる信号は、異なる送信ビームでそれぞれ搬送する。
【０１１５】
具体的には、ネットワークデバイスは、第１のタイプの下り信号を複数の送信ビームで送信してもよく、例えば、ＣＳＩ−ＲＳ又は同期信号ブロックであり、各下りビームには下り信号を送信する識別情報が含まれ、ここで、異なる下りビームに含まれる下り信号の識別情報は互いに異なり、このとき、同じ識別情報を有する下り信号を一つの下り信号と称し、下り信号の数は送信ビームの数と等しくてもよい。
【０１１６】
任意選択で、この第１の上りメッセージは、この端末が少なくとも１つの信号の検出結果に応じて所望する下り送信ビームを該ネットワークデバイスに通知するために使用される。
【０１１７】
具体的には、端末デバイスは、複数の送信ビームでネットワークデバイスから送信される下り信号を検出し、検出した検出結果に基づいて、信号品質が良好な(例えば、最も良く、品質が所定値を満たす)送信ビームを決定してネットワークデバイスに通知し、具体的には、下り信号品質が最適な信号の識別情報をネットワークデバイスに通知することができる。
【０１１８】
２２０において、該端末が第１の制御リソースセット（Ｃｏｎｔｒｏｌ Ｒｅｓｏｕｒｃｅ Ｓｅｔ、ＣＯＲＥＳＥＴ）を決定し、該第１のＣＯＲＥＳＥＴは、該第１の上りメッセージに対する第１の応答メッセージを受信するために用いられる。
【０１１９】
任意選択で、ＣＯＲＥＳＥＴは、少なくとも１つの物理下り制御チャネル( Ｐｈｙｓｉｃａｌ Ｄｏｗｎｌｉｎｋ Ｃｏｎｔｒｏｌ Ｃｈａｎｎｅｌ、ＰＤＣＣＨ )候補位置を含み得る。
【０１２０】
任意選択で、ＰＤＣＣＨ候補のアグリゲーションレベルは、１、２、４、または８であり得、すなわち、１、２、４、または８個の制御チャネルユニット( Ｃｏｎｔｒｏｌ Ｃｈａｎｎｅｌ Ｅｌｅｍｅｎｔ、ＣＣＥ )を占有し得る。
【０１２１】
任意選択で、１つのＣＯＲＥＳＥＴは、多種のアグリゲーションレベルのＰＤＣＣＨ候補、例えば、同時に１、２、４、及び８アグリゲーションレベルのＰＤＣＣＨ候補を含むことができる。
【０１２２】
２３０において、該端末が該第１のＣＯＲＥＳＥＴにおいて、該第１の応答メッセージを受信する。
【０１２３】
具体的には、端末は、第１の応答メッセージを得るために、第１のＣＯＲＥＳＥにおいてブラインド検出を実行し得る。
【０１２４】
本願をより明確に理解するために、端末が第１のＣＯＲＥＳＥＴをどのように決定するかを、いくつかの実装例に関連して以下に説明する。
【０１２５】
方式１
該端末が該第１の信号が空間受信パラメータに対して準コロケーションされる該第２のタイプの信号に対応する第２のＣＯＲＥＳＥＴに基づいて、該第１のＣＯＲＥＳＥＴを決定する。
【０１２６】
具体的に、端末が第１の信号が空間受信パラメータに対して準コロケーションされる第２のタイプの信号を決定し、該第２のタイプの信号に対応するＣＯＲＥＳＥＴを決定し、これにより、第１のＣＯＲＥＳＥＴを決定する。
【０１２７】
ここで、第２のタイプの信号が上り信号である場合、第２のタイプの信号に対応するＣＯＲＥＳＥＴは、該信号に対する応答メッセージを受信するＣＯＲＥＳＥＴである。
【０１２８】
又は、該第２のタイプの信号が下り信号である場合、第２のタイプに対応するＣＯＲＥＳＥＴは、該信号を受信するＣＯＲＥＳＥＴである。
【０１２９】
任意選択で、第２のタイプの少なくとも１つの信号と少なくとも１つのＣＯＲＥＳＥＴとは、直接対応関係を有する。
【０１３０】
ここで、第２のタイプの信号がＣＯＲＥＳＥＴに一対一対応し、又は、第２のタイプの複数の信号が１つのＣＯＲＥＳＥＴに対応し、又は、第２のタイプの１つの信号は複数のＣＯＲＥＳＥＴに対応する。
【０１３１】
任意選択で、端末は、該第２のＣＯＲＥＳＥＴを該第１のＣＯＲＥＳＥＴとして決定する。
【０１３２】
又は、端末は、該第２のＣＯＲＥＳＥＴを変更しても良く、例えば、リソースを増加又は減少して、第１のＣＯＲＥＳＥＴを取得する。
【０１３３】
方式２
該第１のタイプの少なくとも１つの信号と少なくとも１つのＣＯＲＥＳＥＴとの第１の対応関係に基づいて、該端末が該第１のＣＯＲＥＳＥＴを決定する。
【０１３４】
具体的に、第１のタイプの少なくとも１つの信号と少なくとも１つのＣＯＲＥＳＥＴとは、直接対応関係を有する。
【０１３５】
ここで、異なる識別情報を有する信号が異なるＣＯＲＥＳＥＴに対応し、例えば、第１のタイプの信号がＣＯＲＥＳＥＴに一対一対応し、又は、複数の信号が１つのＣＯＲＥＳＥＴに対応し、又は、１つの信号が複数のＣＯＲＥＳＥＴに対応する。
【０１３６】
任意選択で、該少なくとも１つの信号の各信号に対応するＣＯＲＥＳＥＴは、該各信号に対応する上りメッセージの応答メッセージを受信するために用いられる。
【０１３７】
任意選択で、該端末が該ネットワークデバイスからの第１の指示情報を受信し、該第１の指示情報が該第１の対応関係を示す。即ち、該第１の対応関係は、ネットワークデバイスが端末に構成されたものであっても良いし、端末に予め設定されても良い。
【０１３８】
方式３
第１の上り送信リソース又は第１のコードに基づいて、端末が該第１のＣＯＲＥＳＥＴを決定し、ここで、該第１の上り送信リソースは、該第１の上り信号を送信するリソースであり、該第１のコードは、該第１の信号を識別するコードである。
【０１３９】
具体的に、端末は、第１の上り信号を送信するリソース及び該第１の信号を識別するコードに基づいて、第１のＣＯＲＥＳＥＴを決定しても良い。
【０１４０】
実現可能な方式において、少なくとも１つの上り送信リソース又はコードと少なくとも１つのＣＯＲＥＳＥＴとの第２の対応関係に基づいて、該第１の上り送信リソース又は第１のコードに対応する該第１のＣＯＲＥＳＥＴを決定する。
【０１４１】
具体的に、少なくとも１つの上り送信リソースと少なくとも１つのＣＯＲＥＳＥＴとは、直接対応関係を有し、ここで、異なる識別情報が含まれる上り送信リソースは、異なる異なるＣＯＲＥＳＥＴに対応し、例えば、上り送信リソースがＣＯＲＥＳＥＴに一対一対応し、又は、複数の上り送信リソースが１つのＣＯＲＥＳＥＴに対応し、又は、１つの上り送信リソースが複数のＣＯＲＥＳＥＴに対応する。
【０１４２】
ここで、１つの上り信号( １つの第１のタイプの信号の識別子を搬送する)を送信するリソースは、１つのリソースと呼ばれ得るが、本発明はこれに限定されず、上り送信リソースの分割単位は、他の形式であってもよい。
【０１４３】
任意選択で、上記に記載される上り送信リソースは、ランダムアクセスリソースと周波数分割多重化又はコード分割多重化されても良い。
【０１４４】
又は、少なくとも１つのコードと少なくとも１つのＣＯＲＥＳＥＴとは、直接対応関係を有し、ここで、異なる第１のタイプの信号を有するコードは、異なるＣＯＲＥＳＥＴに対応し、例えば、コードがＣＯＲＥＳＥＴに一対一対応し、又は、複数のコードが１つのＣＯＲＥＳＥＴに対応し、又は、１つのコードが複数のＣＯＲＥＳＥＴに対応する。
【０１４５】
任意選択で、上記のコードは、ランダムアクセスプリアンブルと同じシーケンスを有するが、異なるサイクリックシフトを有し得る。
【０１４６】
任意選択で、コードが第１のタイプの上り信号に一対一対応し、即ち、１つのコードが１つの上り信号を識別するが、本願の実施例はこれに限定されず、例えば、１つのコードが１セットの信号等を識別しても良い。
【０１４７】
任意選択で、各上り送信リソース又はコードが該第１のタイプの少なくとも１つの信号の上りメッセージにそれぞれ対応し、該各上り送信リソース又はコードに対応するＣＯＲＥＳＥＴは、該各上り送信リソース又はコードを利用して送信した該上りメッセージの応答メッセージを受信するために用いられる。
【０１４８】
任意選択で、該端末が該ネットワークデバイスにより送信された第２の指示情報を受信し、該第２の指示情報が該第２の対応関係を示し。即ち、該第２の対応関係は、ネットワークデバイスから端末に構成されたものであっても良いし、端末に予め設定されても良い。
【０１４９】
任意選択で、該第１のＣＯＲＥＳＥＴを利用して、第２の応答メッセージを受信し、該第２の応答メッセージは、第１のランダムアクセスリソースで送信された上りメッセージの応答メッセージであり、第１のランダムアクセスリソースは、該第１の上り送信リソースに対応するランダムアクセスリソースである。
【０１５０】
具体的に、第１の応答メッセージを受信するためのＣＯＲＥＳＥＴは、第１のランダムアクセスリソースで送信された上りメッセージの応答メッセージを受信しても良く、ここで、ランダムアクセスリソースと上り送信リソースとは、対応関係を有し、任意選択で、該対応関係が多重化に関連しても良く、即ち、あるランダムアクセスリソースと１つの上り送信リソースとは、周波数分割多重化又はコード分割多重化の関係を有する場合、該ランダムアクセスリソースは、該上り送信リソースに対応するランダムアクセスリソースである。
【０１５１】
他の実現可能な方式において、第１のランダムアクセスリソースを決定し、該第１のランダムアクセスリソースは、該第１の上り送信リソースに対応するランダムアクセスリソースであり、該第１のランダムアクセスリソースに基づいて、第３のＣＯＲＥＳＥＴを決定し、該第３のＣＯＲＥＳＥＴに基づいて、該第１のＣＯＲＥＳＥＴを決定する。
【０１５２】
具体的に、ランダムアクセスリソースと上り送信リソースとは、対応関係を有し、任意選択で、該対応関係は多重化に関連しても良く、即ち、あるランダムアクセスリソースと１つの上り送信リソースとは、周波数分割多重化又はコード分割多重化の関係を有する場合、該ランダムアクセスリソースは、該上り送信リソースに対応するランダムアクセスリソースである。端末は、第１の上り送信リソースに対応する第１のランダムアクセスリソースを決定することで、該第１のランダムアクセスリソースに対応するＣＯＲＥＳＥＴを決定し、該ランダムアクセスリソースに対応するＣＯＲＥＳＥＴに基づいて、第１のＣＯＲＥＳＥＴを決定する。
【０１５３】
任意選択で、該第３のＣＯＲＥＳＥＴは、第２の応答メッセージの受信に使用され、該第２の応答メッセージは、該第１のランダムアクセスリソース上りで送信された上りアクセスメッセージの応答メッセージである。
【０１５４】
任意選択で、少なくとも１つのランダムアクセスリソースと少なくとも１つのＣＯＲＥＳＥＴとの第３の対応関係に基づいて、該第１のランダムアクセスリソースに対応する該第２のＣＯＲＥＳＥＴを決定する。
【０１５５】
具体的に、少なくとも１つのランダムアクセスリソースと少なくとも１つのＣＯＲＥＳＥＴとは、直接対応関係を有し、ここで、異なるランダムアクセスリソースが異なるＣＯＲＥＳＥＴに対応し、例えば、ランダムアクセスリソースがＣＯＲＥＳＥＴに一対一対応し、又は、複数のランダムアクセスリソースが１つのＣＯＲＥＳＥＴに対応し、又は、１つのランダムアクセスリソースが複数のＣＯＲＥＳＥＴに対応する。
【０１５６】
任意選択で、各ランダムアクセスリソースに対応するＣＯＲＥＳＥＴは、該各ランダムアクセスリソースで送信された上りアクセスメッセージの応答メッセージの受信に使用される。
【０１５７】
任意選択で、端末は、該第３のＣＯＲＥＳＥＴを、該第１のＣＯＲＥＳＥＴとして決定しても良い。
【０１５８】
又は、端末は、該第３のＣＯＲＥＳＥＴを変更しても良く、例えば、リソースを増加又は減少して、第１のＣＯＲＥＳＥＴを取得する。
【０１５９】
任意選択で、該端末が該ネットワークデバイスにより送信された第３の指示情報を受信し、該第３の指示情報が該第３の対応関係を示す。即ち、該第３の対応関係は、ネットワークデバイスから端末に構成されたものであっても良いし、端末に予め設定されたものであっても良い。
【０１６０】
したがって、本願の実施例において、端末がネットワークデバイスに第１の上りメッセージを送信し、前記第１の上りメッセージには前記端末の受信した第１の信号の識別情報が含まれ、前記第１の信号が、前記ネットワークデバイスの送信した第１のタイプの少なくとも１つの信号のうちの少なくとも一部の信号を含み、端末が第１のＣＯＲＥＳＥＴを決定し、端末が前記第１のＣＯＲＥＳＥＴにおいて前記第１の上りメッセージに対する前記第１の応答メッセージを受信し、ビームを表す下り信号の識別情報が含まれるメッセージに対する応答メッセージの伝送を実現することができる。
【０１６１】
図３は本願の実施例における無線通信方法３００のフローチャートである。該方法３００は、以下の少なくとも一部を含む。
【０１６２】
３１０において、ネットワークデバイスが端末により送信された第１の上りメッセージを受信し、該第１の上りメッセージには該端末の受信した第１の信号の識別情報が含まれ、該第１の信号が該ネットワークデバイスの送信した第１のタイプの少なくとも１つの信号のうちの少なくとも一部の信号を含む。
【０１６３】
３２０において、該ネットワークデバイスが第１の制御リソースセットＣＯＲＥＳＥＴを決定し、該第１のＣＯＲＥＳＥＴが該第１の上りメッセージに対する第１の応答メッセージを送信する。
【０１６４】
３３０において、該ネットワークデバイスが該第１のＣＯＲＥＳＥＴにおいて該第１の応答メッセージを送信する。
【０１６５】
任意選択で、該第１のタイプの少なくとも１つの信号のうちの全ての又は一部の信号は、それぞれの空間受信パラメータに対して非該第１のタイプの第２のタイプの信号に準コロケーションされることができる。
【０１６６】
任意選択で、該ネットワークデバイスは、該第１の信号が空間受信パラメータに対して準コロケーションされる該第２のタイプの信号に対応する第２のＣＯＲＥＳＥＴに基づいて、該第１のＣＯＲＥＳＥＴを決定する。
【０１６７】
任意選択で、該第２のＣＯＲＥＳＥＴを該第１のＣＯＲＥＳＥＴとして決定する。
【０１６８】
任意選択で、該第１のタイプの信号のうちの異なる信号は、異なる送信ビームでそれぞれ搬送する。
【０１６９】
任意選択で、該第１の上りメッセージは、該端末が該少なくとも１つの信号を検出して得られた検出結果に基づいて所望する下り送信ビームを該ネットワークデバイスに通知する。
【０１７０】
任意選択で、該第１のタイプの少なくとも１つの信号と少なくとも１つのＣＯＲＥＳＥＴとの第１の対応関係に基づいて、該ネットワークデバイスが該第１のＣＯＲＥＳＥＴを決定する。
【０１７１】
任意選択で、該少なくとも１つの信号の各信号に対応するＣＯＲＥＳＥＴは、該各信号に対応する上りメッセージの応答メッセージの送信に使用される。
【０１７２】
任意選択で、該ネットワークデバイスが該端末に第１の指示情報を送信し、該第１の指示情報が該第１の対応関係を示す。 
任意選択で、第１の上り送信リソース又は第１のコードに基づいて、該第１のＣＯＲＥＳＥＴを決定し、ここで、該第１の上り送信リソースが該端末により送信された該第１の上り信号のリソースであり、該第１のコードが該第１の信号を識別するコードである。
【０１７３】
任意選択で、少なくとも１つの上り送信リソース又はコードと少なくとも１つのＣＯＲＥＳＥＴとの第２の対応関係に基づいて、該第１の上り送信リソース又は第１のコードに対応する該第１のＣＯＲＥＳＥＴを決定する。
【０１７４】
任意選択で、各上り送信リソース又はコードが該第１のタイプの少なくとも１つの信号の上りメッセージにそれぞれ対応し、該各上り送信リソース又はコードに対応するＣＯＲＥＳＥＴは、該各上り送信リソース又はコードを利用して送信した該上りメッセージの応答メッセージを送信するために用いられる。
【０１７５】
任意選択で、該ネットワークデバイスが該端末に第２の指示情報を送信し、該第２の指示情報が該第２の対応関係を示す。
【０１７６】
任意選択で、該第１のＣＯＲＥＳＥＴを利用して、ネットワークデバイスが第２の応答メッセージを送信し、該第２の応答メッセージは、第１のランダムアクセスリソースで送信された上りメッセージの応答メッセージであり、第１のランダムアクセスリソースは、該第１の上り送信リソースに対応するランダムアクセスリソースである。
【０１７７】
任意選択で、ネットワークデバイス第１のランダムアクセスリソースを決定することと、該第１のランダムアクセスリソースは、該第１の上り送信リソースに対応するランダムアクセスリソースであり、ネットワークデバイスが該第１のランダムアクセスリソースに基づいて、第３のＣＯＲＥＳＥＴを決定し、ネットワークデバイスが該第３のＣＯＲＥＳＥＴに基づいて、該第１のＣＯＲＥＳＥＴを決定する。
【０１７８】
任意選択で、該第３のＣＯＲＥＳＥＴは、第２の応答メッセージの送信に使用され、該第２の応答メッセージは、該第１のランダムアクセスリソース上りで送信された上りアクセスメッセージの応答メッセージである。
【０１７９】
任意選択で、少なくとも１つのランダムアクセスリソースと少なくとも１つのＣＯＲＥＳＥＴとの第３の対応関係に基づいて、ネットワークデバイスが該第１のランダムアクセスリソースに対応する該第２のＣＯＲＥＳＥＴを決定する。
【０１８０】
任意選択で、各ランダムアクセスリソースに対応するＣＯＲＥＳＥＴは、該各ランダムアクセスリソースで送信された上りアクセスメッセージの応答メッセージの送信に使用される。
【０１８１】
任意選択で、ネットワークデバイスは該第３のＣＯＲＥＳＥＴを該第１のＣＯＲＥＳＥＴとして決定する。
【０１８２】
任意選択で、該ネットワークデバイスが該端末に第３の指示情報を送信し、該第３の指示情報が該第３の対応関係を示す。
【０１８３】
任意選択で、該第１の上り送信リソースと該第１のアクセスのリソースとは、周波数分割多重化又はコード分割多重化される。
【０１８４】
任意選択で、該第１のタイプの信号は、チャネル状態情報参照信号ＣＳＩ−ＲＳ、又は同期信号ブロックである。
【０１８５】
なお、ネットワークデバイスが第１のＣＯＲＥＳＥＴを決定することは、端末側の記載を参照し、簡潔のため、ここで説明を省略する。
【０１８６】
したがって、本願の実施例において、ネットワークデバイスが第１の上りメッセージを受信し、前記第１の上りメッセージには前記端末の受信した第１の信号の識別情報が含まれ、前記第１の信号が、前記ネットワークデバイスの送信した第１のタイプの少なくとも１つの信号のうちの少なくとも一部の信号を含み、ネットワークデバイスが第１のＣＯＲＥＳＥＴを決定し、ネットワークデバイスが前記第１のＣＯＲＥＳＥＴにおいて、前記第１の上りメッセージに対する前記第１の応答メッセージを送信し、ビームを表す下り信号の識別情報が含まれるメッセージに対する応答メッセージの伝送を実現することができる。
【０１８７】
図４は、本願の実施例における無線通信方法４００の概略的なフローチャートである。方法４００は、任意選択で、図１に示されるシステムに適用され得るが、これに限定されない。方法４００は、任意選択で、端末によって実行され得る。方法４００は、以下の少なくとも一部を含む。
【０１８８】
４１０において、端末がネットワークデバイスに第１の上りメッセージを送信し、該第１の上りメッセージには該端末の受信した第１の信号の識別情報が含まれ、該第１の信号が該ネットワークデバイスの送信した第１のタイプの少なくとも１つの信号のうちの少なくとも一部の信号を含む。
【０１８９】
任意選択で、この第１のタイプの信号は、チャネル状態情報参照信号( Ｃｈａｎｎｅｌ Ｓｔａｔｅ Ｉｎｆｏｒｍａｔｉｏｎ Ｒｅｆｅｒｅｎｃｅ Ｓｉｇｎａｌ、ＣＳＩ−ＲＳ )、または同期信号ブロック( Ｓｙｎｃｈｒｏｎｉｚａｔｉｏｎ Ｓｉｇｎａｌ Ｂｌｏｃｋ、ＳＳ Ｂｌｏｃｋ )である。
【０１９０】
任意選択で、該第１のタイプの少なくとも１つの信号のうちの全ての又は一部の信号は、それぞれの空間受信パラメータに対して非該第１のタイプの第２のタイプの信号にそれぞれ準コロケーションされることができる。
【０１９１】
具体的には、第１のタイプの信号は、空間受信パラメータに対して第２のタイプの信号に準コロケーションされてもよく、すなわち、ネットワークは、ビーム１で第１のタイプの信号１を送信し、信号１が第２のタイプの信号２とが空間受信パラメータに対して準コロケーションされる場合、ネットワークは、送信ビーム１で信号２を送信し、または、端末は、送信ビーム１と同じ上り送信ビーム１で信号２を送信する。
【０１９２】
任意選択で、該第１のタイプの信号のうちの異なる信号は、異なる送信ビームで搬送される。
【０１９３】
具体的には、ネットワークデバイスは、第１タイプの下り信号を複数の送信ビームで送信してもよく、例えば、ＣＳＩ−ＲＳ又は同期信号ブロックであり、各下りビームには下り信号を送信する識別情報が含まれ、ここで、異なる下りビームに含まれる下り信号の識別情報は互いに異なり、このとき、同じ識別情報を有する下り信号を１つの下り信号と称し、下り信号の数は送信ビームの数と等しくてもよい。
【０１９４】
任意選択で、この第１の上りメッセージは、この端末が少なくとも１つの信号の検出結果に基づいて所望する下り送信ビームを該ネットワークデバイスに通知するために使用される。
【０１９５】
具体的には、端末デバイスは、複数の送信ビームでネットワークデバイスから送信される下り信号を検出し、検出した検出結果に基づいて、信号品質が良好な(例えば、最も良く、品質が所定値を満たす)送信ビームを決定してネットワークデバイスに通知し、具体的には、下り信号品質が最適な信号の識別情報をネットワークデバイスに通知することができる。
【０１９６】
４２０において、該端末が第１の時間領域リソースセット及び／又は探索空間を決定し、該第１の時間領域リソースセット及び／又は探索空間は、該第１の上りメッセージに対する第１の応答メッセージを受信するために用いられる。
【０１９７】
任意選択で、時間領域リソースセット又は探索空間は、ＰＤＣＣＨ伝送に使用される。
【０１９８】
任意選択で、時間領域リソースセット及び／又は探索空間は、少なくとも１つの物理下り制御チャネル( Ｐｈｙｓｉｃａｌ Ｄｏｗｎｌｉｎｋ Ｃｏｎｔｒｏｌ Ｃｈａｎｎｅｌ、ＰＤＣＣＨ )候補位置を含み得る。
【０１９９】
任意選択で、ＰＤＣＣＨ候補のアグリゲーションレベルは、１、２、４、または８であり得、すなわち、１、２、４、または８個の制御チャネルユニット( Ｃｏｎｔｒｏｌ Ｃｈａｎｎｅｌ Ｅｌｅｍｅｎｔ、ＣＣＥ )を占有し得る。
【０２００】
任意選択で、１つの時間領域リソースセット及び／又は探索空間は、多種のアグリゲーションレベルのＰＤＣＣＨ候補、例えば、同時に１、２、４、及び８アグリゲーションレベルのＰＤＣＣＨ候補を含むことができる。
【０２０１】
４３０において、該端末が該第１の時間領域リソースセット及び／又は探索空間において該第１の応答メッセージを受信する。
【０２０２】
具体的には、端末は、第１の応答メッセージを得るために、第１の時間領域リソースセット及び／又は探索空間においてブラインド検出を実行し得る。
【０２０３】
本願をより明確に理解するために、端末が第１の時間領域リソースセット及び／又は探索空間をどのように決定するかを、いくつかの実装例に関連して以下に説明する。
【０２０４】
方式１
該端末が該第１の信号が空間受信パラメータに対して準コロケーションされる該第２のタイプの信号に対応する第２の時間領域リソースセット及び／又は探索空間に基づいて、該第１の時間領域リソースセット及び／又は探索空間を決定する。
【０２０５】
具体的に、端末が第１の信号が空間受信パラメータに対して準コロケーションされる第２のタイプの信号を決定し、該第２のタイプの信号に対応する時間領域リソースセット及び／又は探索空間を決定して、第１の時間領域リソースセット及び／又は探索空間を決定することができる。
【０２０６】
ここで、第２のタイプの信号が上り信号である場合、第２のタイプの信号に対応する時間領域リソースセット及び／又は探索空間は、該信号に対する応答メッセージを受信する時間領域リソースセット及び／又は探索空間である。
【０２０７】
又は、該第２のタイプの信号が下り信号である場合、第２のタイプに対応する時間領域リソースセット及び／又は探索空間は、該信号を受信する時間領域リソースセット及び／又は探索空間である。
【０２０８】
任意選択で、第２のタイプの少なくとも１つの信号と少なくとも１つの時間領域リソースセット及び／又は探索空間とは、直接対応関係を有する。
【０２０９】
ここで、第２のタイプの信号が時間領域リソースセット及び／又は探索空間に一対一対応し、又は、第２のタイプの複数の信号が１つの時間領域リソースセット及び／又は探索空間に対応し、又は、第２のタイプの１つの信号が複数の時間領域リソースセット及び／又は探索空間に対応する。
【０２１０】
任意選択で、端末が該第２の時間領域リソースセット及び／又は探索空間を、該第１の時間領域リソースセット及び／又は探索空間として決定する。
【０２１１】
又は、端末は、該第２の時間領域リソースセット及び／又は探索空間を変更しても良く、例えば、リソースを増加し又は減少して、第１の時間領域リソースセット及び／又は探索空間を取得する。
【０２１２】
方式２
該第１のタイプの少なくとも１つの信号と少なくとも１つの時間領域リソースセット及び／又は探索空間との第１の対応関係に基づいて、該端末が該第１の時間領域リソースセット及び／又は探索空間を決定する。
【０２１３】
具体的に、第１のタイプの少なくとも１つの信号と少なくとも１つの時間領域リソースセット及び／又は探索空間とは、直接対応関係を有する。
【０２１４】
ここで、異なる識別情報を有する信号が異なる時間領域リソースセット及び／又は探索空間に対応し、例えば、第１のタイプの信号が時間領域リソースセット及び／又は探索空間に一対一対応し、又は、複数の信号が１つの時間領域リソースセット及び／又は探索空間に対応し、又は、１つの信号が複数の時間領域リソースセット及び／又は探索空間に対応する。
【０２１５】
任意選択で、該少なくとも１つの信号の各信号に対応する時間領域リソースセット及び／又は探索空間は、該各信号に対応する上りメッセージの応答メッセージを受信するために用いられる。
【０２１６】
任意選択で、該端末が該ネットワークデバイスにより送信された第１の指示情報を受信し、該第１の指示情報が該第１の対応関係を示す。即ち、該第１の対応関係は、ネットワークデバイスから端末に構成されたものであっても良いし、端末に予め設定されたものであっても良い。
【０２１７】
方式３
第１の上り送信リソース又は第１のコードに基づいて、端末が該第１の時間領域リソースセット及び／又は探索空間を決定し、ここで、該第１の上り送信リソースは、該第１の上り信号を送信するリソースであり、該第１のコードは、該第１の信号を識別するコードである。
【０２１８】
具体的に、端末は、第１の上り信号を送信するリソース及び該第１の信号を識別するコードに基づいて、第１の時間領域リソースセット及び／又は探索空間を決定することができる。
【０２１９】
実現可能な方式において、少なくとも１つの上り送信リソース又はコードと少なくとも１つの時間領域リソースセット及び／又は探索空間との第２の対応関係に基づいて、該第１の上り送信リソース又は第１のコードに対応する該第１の時間領域リソースセット及び／又は探索空間を決定する。
【０２２０】
具体的に、少なくとも１つの上り送信リソースと少なくとも１つの時間領域リソースセット及び／又は探索空間とは、直接対応関係を有し、ここで、異なる識別情報を搬送する上り送信リソースは、異なる時間領域リソースセット及び／又は探索空間に対応し、例えば、上り送信リソースが時間領域リソースセット及び／又は探索空間に一対一対応し、又は、複数の上り送信リソースが１つの時間領域リソースセット及び／又は探索空間に対応し、又は、１つの上り送信リソースが複数の時間領域リソースセット及び／又は探索空間に対応する。
【０２２１】
ここで、１つの上り信号( １つの第１のタイプの信号の識別子を搬送する)を送信するリソースは、１つのリソースと呼ばれ得るが、本発明はこれに限定されず、上り送信リソースの分割単位は、他の形式であってもよい。
【０２２２】
任意選択で、上記に記載される上り送信リソースは、ランダムアクセスリソースと周波数分割多重化又はコード分割多重化されても良い。
【０２２３】
又は、少なくとも１つのコードと少なくとも１つの時間領域リソースセット及び／又は探索空間とは、直接対応関係を有し、ここで、異なる第１のタイプの信号を識別するコードは、異なる時間領域リソースセット及び／又は探索空間に対応し、例えば、コードが時間領域リソースセット及び／又は探索空間に一対一対応し、又は、複数のコードが１つの時間領域リソースセット及び／又は探索空間に対応し、又は、１つのコードが複数の時間領域リソースセット及び／又は探索空間に対応する。
【０２２４】
任意選択で、上記のコードは、ランダムアクセスプリアンブルと同じシーケンスを有するが、異なるサイクリックシフトを有し得る。
【０２２５】
任意選択で、コードが第１のタイプの上り信号に一対一対応し、即ち、１つのコードが１つの上り信号を識別するが、本願の実施例はこれに限定されず、例えば、１つのコードが１セットの信号等を識別しても良い。
【０２２６】
任意選択で、各上り送信リソース又はコードが該第１のタイプの少なくとも１つの信号の上りメッセージにそれぞれ対応し、該各上り送信リソース又はコードに対応する時間領域リソースセット及び／又は探索空間は、該各上り送信リソース又はコードを利用して送信した該上りメッセージの応答メッセージの受信に使用される。
【０２２７】
任意選択で、該端末が該ネットワークデバイスにより送信された第２の指示情報を受信し、該第２の指示情報が該第２の対応関係を示す。即ち、該第２の対応関係は、ネットワークデバイスから端末に構成されたものであっても良いし、端末に予め設定されたものであっても良い。
【０２２８】
任意選択で、該第１の時間領域リソースセット及び／又は探索空間を利用して第２の応答メッセージを受信し、該第２の応答メッセージは、第１のランダムアクセスリソースで送信された上りメッセージの応答メッセージであり、第１のランダムアクセスリソースは、該第１の上り送信リソースに対応するランダムアクセスリソースである。
【０２２９】
具体的に、上記の第１の応答メッセージを受信するための時間領域リソースセット及び／又は探索空間は、第１のランダムアクセスリソースで送信された上りメッセージの応答メッセージを受信しても良く、ここで、ランダムアクセスリソースと上り送信リソースとは、対応関係を有し、任意選択で、該対応関係は多重化に関連しても良く、即ち、あるランダムアクセスリソースと１つの上り送信リソースとは、周波数分割多重化又はコード分割多重化の関係を有する場合、該ランダムアクセスリソースは、該上り送信リソースに対応するランダムアクセスリソースである。
【０２３０】
他の実現可能な方式において、第１のランダムアクセスリソースを決定し、該第１のランダムアクセスリソースは、該第１の上り送信リソースに対応するランダムアクセスリソースであり、該第１のランダムアクセスリソースに基づいて、第３の時間領域リソースセット及び／又は探索空間を決定し、該第３の時間領域リソースセット及び／又は探索空間に基づいて、該第１の時間領域リソースセット及び／又は探索空間を決定する。
【０２３１】
具体的に、ランダムアクセスリソースと上り送信リソースとは、対応関係を有し、任意選択で、該対応関係は多重化に関連しても良く、即ち、あるランダムアクセスリソースと１つの上り送信リソースとは、周波数分割多重化又はコード分割多重化の関係を有する場合、該ランダムアクセスリソースは、該上り送信リソースに対応するランダムアクセスリソースである。端末は、第１の上り送信リソースに対応する第１のランダムアクセスリソースを決定し、さらに、該第１のランダムアクセスリソースに対応する時間領域リソースセット及び／又は探索空間を決定し、該ランダムアクセスリソースに対応する時間領域リソースセット及び／又は探索空間に基づいて、第１の時間領域リソースセット及び／又は探索空間を決定する。
【０２３２】
任意選択で、該第３の時間領域リソースセット及び／又は探索空間は、第２の応答メッセージの受信に使用され、該第２の応答メッセージは、該第１のランダムアクセスリソース上りで送信された上りアクセスメッセージの応答メッセージである。
【０２３３】
任意選択で、少なくとも１つのランダムアクセスリソースと少なくとも１つの時間領域リソースセット及び／又は探索空間との第３の対応関係に基づいて、該第１のランダムアクセスリソースに対応する該第２の時間領域リソースセット及び／又は探索空間を決定する。
【０２３４】
具体的に、少なくとも１つのランダムアクセスリソースと少なくとも１つの時間領域リソースセット及び／又は探索空間とは、直接対応関係を有し、ここで、異なるランダムアクセスリソースは、異なる時間領域リソースセット及び／又は探索空間に対応し、例えば、ランダムアクセスリソースが時間領域リソースセット及び／又は探索空間に一対一対応し、又は、複数のランダムアクセスリソースが１つの時間領域リソースセット及び／又は探索空間に対応し、又は、１つのランダムアクセスリソースが複数の時間領域リソースセット及び／又は探索空間に対応する。
【０２３５】
任意選択で、各ランダムアクセスリソースに対応する時間領域リソースセット及び／又は探索空間は、該各ランダムアクセスリソースで送信された上りアクセスメッセージの応答メッセージの受信に使用される。
【０２３６】
任意選択で、端末は、該第３の時間領域リソースセット及び／又は探索空間を、該第１の時間領域リソースセット及び／又は探索空間として決定することができる。
【０２３７】
又は、端末は、該第３の時間領域リソースセット及び／又は探索空間を変更しても良く、例えば、リソースを増加又は減少して、第１の時間領域リソースセット及び／又は探索空間を取得する。
【０２３８】
任意選択で、該端末は該ネットワークデバイスにより送信された第３の指示情報を受信し、該第３の指示情報が該第３の対応関係を示す。即ち、該第３の対応関係は、ネットワークデバイスから端末に構成されたものであっても良いし、端末に予め設定されたものであっても良い。
【０２３９】
したがって、本願の実施例において、端末がネットワークデバイスに第１の上りメッセージを送信し、前記第１の上りメッセージには前記端末の受信した第１の信号の識別情報が含まれ、前記第１の信号が、前記ネットワークデバイスの送信した第１のタイプの少なくとも１つの信号のうちの少なくとも一部の信号を含み、端末が第１の時間領域リソースセット及び／又は探索空間を決定し、端末が前記第１の時間領域リソースセット及び／又は探索空間において、前記第１の上りメッセージに対する前記第１の応答メッセージを受信することで、ビームを表す下り信号の識別情報が含まれるメッセージに対する応答メッセージの伝送を実現することができる。
【０２４０】
図５は本願の実施例における無線通信方法５００のフローチャートである。該方法５００は、以下のうちの少なくとも一部を含む。
【０２４１】
５１０において、ネットワークデバイスが端末により送信された第１の上りメッセージを受信し、該第１の上りメッセージには該端末の受信した第１の信号の識別情報が含まれ、該第１の信号が該ネットワークデバイスの送信した第１のタイプの少なくとも１つの信号のうちの少なくとも一部の信号を含む。
【０２４２】
５２０において、該ネットワークデバイスが第１の時間領域リソースセット及び／又は探索空間を決定し、該第１の時間領域リソースセット及び／又は探索空間は、該第１の上りメッセージの第１の応答メッセージを送信するために用いられる。
【０２４３】
５３０において、該ネットワークデバイスは、該第１の時間領域リソースセット及び／又は探索空間において該第１の応答メッセージを送信する。
【０２４４】
任意選択で、該第１のタイプの少なくとも１つの信号のうちの全ての又は一部の信号は、それぞれの空間受信パラメータに対して非該第１のタイプの第２のタイプの信号に準コロケーションされることができる。
【０２４５】
任意選択で、該ネットワークデバイスは、該第１の信号が空間受信パラメータに対して準コロケーションされる該第２のタイプの信号に対応する第２の時間領域リソースセット及び／又は探索空間に基づいて、該第１の時間領域リソースセット及び／又は探索空間を決定する。
【０２４６】
任意選択で、該第２の時間領域リソースセット及び／又は探索空間を、該第１の時間領域リソースセット及び／又は探索空間として決定する。
【０２４７】
任意選択で、該第１のタイプの信号のうちの異なる信号は、異なる送信ビームでそれぞれ搬送する。
【０２４８】
任意選択で、該第１の上りメッセージは、該端末が該少なくとも１つの信号を検出して得られた検出結果に基づいて所望する下り送信ビームを該ネットワークデバイスに通知する。
【０２４９】
任意選択で、該第１のタイプの少なくとも１つの信号と少なくとも１つの時間領域リソースセット及び／又は探索空間との第１の対応関係に基づいて、該ネットワークデバイスが該第１の時間領域リソースセット及び／又は探索空間を決定する。
【０２５０】
任意選択で、該少なくとも１つの信号の各信号に対応する時間領域リソースセット及び／又は探索空間は、該各信号に対応する上りメッセージの応答メッセージの送信に使用される。
【０２５１】
任意選択で、該ネットワークデバイスが該端末に第１の指示情報を送信し、該第１の指示情報が該第１の対応関係を示す。 
任意選択で、第１の上り送信リソース又は第１のコードに基づいて、該第１の時間領域リソースセット及び／又は探索空間を決定し、ここで、該第１の上り送信リソースが該端末からの該第１の上り信号のリソースであり、該第１のコードが該第１の信号を識別するコードである。
【０２５２】
任意選択で、少なくとも１つの上り送信リソース又はコードと少なくとも１つの時間領域リソースセット及び／又は探索空間との第２の対応関係に基づいて、該第１の上り送信リソース又は第１のコードに対応する該第１の時間領域リソースセット及び／又は探索空間を決定する。
【０２５３】
任意選択で、各上り送信リソース又はコードが該第１のタイプの少なくとも１つの信号の上りメッセージにそれぞれ対応し、該各上り送信リソース又はコードに対応する時間領域リソースセット及び／又は探索空間は、該各上り送信リソース又はコードを利用して送信した該上りメッセージの応答メッセージの送信に使用される。
【０２５４】
任意選択で、該ネットワークデバイスが該端末に第２の指示情報を送信し、該第２の指示情報が該第２の対応関係を示す。
【０２５５】
任意選択で、該第１の時間領域リソースセット及び／又は探索空間を利用して、ネットワークデバイスが第２の応答メッセージを送信し、該第２の応答メッセージが第１のランダムアクセスリソースで送信された上りメッセージの応答メッセージであり、第１のランダムアクセスリソースが該第１の上り送信リソースに対応するランダムアクセスリソースである。
【０２５６】
任意選択で、ネットワークデバイス第１のランダムアクセスリソースを決定し、該第１のランダムアクセスリソースが該第１の上り送信リソースに対応するランダムアクセスリソースであり、ネットワークデバイスが該第１のランダムアクセスリソースに基づいて、第３の時間領域リソースセット及び／又は探索空間を決定し、ネットワークデバイスが該第３の時間領域リソースセット及び／又は探索空間に基づいて、該第１の時間領域リソースセット及び／又は探索空間を決定する。
【０２５７】
任意選択で、該第３の時間領域リソースセット及び／又は探索空間は、第２の応答メッセージの送信に使用され、該第２の応答メッセージは、該第１のランダムアクセスリソース上りで送信された上りアクセスメッセージの応答メッセージである。
【０２５８】
任意選択で、少なくとも１つのランダムアクセスリソースと少なくとも１つの時間領域リソースセット及び／又は探索空間との第３の対応関係に基づいて、ネットワークデバイスが該第１のランダムアクセスリソースに対応する該第２の時間領域リソースセット及び／又は探索空間を決定する。
【０２５９】
任意選択で、各ランダムアクセスリソースに対応する時間領域リソースセット及び／又は探索空間は、該各ランダムアクセスリソースで送信された上りアクセスメッセージの応答メッセージの送信に使用される。
【０２６０】
任意選択で、ネットワークデバイスが該第３の時間領域リソースセット及び／又は探索空間を、該第１の時間領域リソースセット及び／又は探索空間として決定する。
【０２６１】
任意選択で、該ネットワークデバイスが該端末に第３の指示情報を送信し、該第３の指示情報が該第３の対応関係を示す。
【０２６２】
任意選択で、該第１の上り送信リソースと該第１のアクセスするリソースとは、周波数分割多重化又はコード分割多重化である。
【０２６３】
任意選択で、該第１のタイプの信号は、チャネル状態情報参照信号ＣＳＩ−ＲＳ又は、同期信号ブロックである。
【０２６４】
なお、ネットワークデバイスが第１の時間領域リソースセット及び／又は探索空間を決定することは、端末側の記載を参照しても良く、簡潔のため、ここで説明を省略する。
【０２６５】
したがって、本願の実施例において、ネットワークデバイスが第１の上りメッセージを受信し、前記第１の上りメッセージには前記端末の受信した第１の信号の識別情報が含まれ、前記第１の信号が、前記ネットワークデバイスの送信した第１のタイプの少なくとも１つの信号のうちの少なくとも一部の信号を含み、ネットワークデバイスが第１の時間領域リソースセット及び／又は探索空間を決定し、ネットワークデバイスが前記第１の時間領域リソースセット及び／又は探索空間において、前記第１の上りメッセージに対する前記第１の応答メッセージを送信することで、ビームを表す下り信号の識別情報が含まれるメッセージに対する応答メッセージの伝送を実現することができる。
【０２６６】
図６は本願の実施例における端末６００のブロック図である。図６に示すように、該端末６００は、通信ユニット６１０と処理ユニット６２０を含み、
任意選択で、前記通信ユニット６１０は、ネットワークデバイスに第１の上りメッセージを送信するように構成され、前記第１の上りメッセージには前記端末の受信した第１の信号の識別情報が含まれ、前記第１の信号が、前記ネットワークデバイスの送信した第１のタイプの少なくとも１つの信号のうちの少なくとも一部の信号を含み、
前記処理ユニット６２０は、第１の制御リソースセットＣＯＲＥＳＥＴを決定するように構成され、前記第１のＣＯＲＥＳＥＴが前記第１の上りメッセージに対する第１の応答メッセージを受信するために用いられる。
【０２６７】
前記通信ユニットは、前記第１のＣＯＲＥＳＥＴにおいて前記第１の応答メッセージを受信するように構成される。
【０２６８】
任意選択で、前記通信ユニット６１０は、ネットワークデバイスに第１の上りメッセージを送信するように構成され、前記第１の上りメッセージには前記端末の受信した第１の信号の識別情報が含まれ、前記第１の信号が、前記ネットワークデバイスの送信した第１のタイプの少なくとも１つの信号のうちの少なくとも一部の信号を含み、
前記処理ユニット６２０は、第１の時間周波数リソースセット及び／又は探索空間を決定するように構成され、前記第１の時間周波数リソースセット及び／又は探索空間が、前記第１の上りメッセージに対する第１の応答メッセージを受信するために用いられ、
前記通信ユニット６１０は、前記第１の時間周波数リソースセット及び／又は探索空間において、前記第１の応答メッセージを受信するように構成される。
【０２６９】
なお、端末６００は、方法の実施例における端末に対応することができ、方法の実施例における端末によって実施される対応する動作は、簡潔のためにここでは説明を省略する。
【０２７０】
図７は本願の実施例におけるネットワークデバイス７００のブロック図である。図７に示すように、該ネットワークデバイス７００は、通信ユニット７１０と処理ユニット７２０を含み、ここで、
前記通信ユニット７１０は、端末により送信された第１の上りメッセージを受信するように構成され、前記第１の上りメッセージには前記端末の受信した第１の信号の識別情報が含まれ、前記第１の信号が、前記ネットワークデバイスの送信した第１のタイプの少なくとも１つの信号のうちの少なくとも一部の信号を含み、
前記処理ユニット７２０は、第１の制御リソースセットＣＯＲＥＳＥＴを決定するように構成され、前記第１のＣＯＲＥＳＥＴは、前記第１の上りメッセージに対する第１の応答メッセージを送信するために用いられ、
前記通信ユニット７１０は、さらに、前記第１のＣＯＲＥＳＥＴにおいて前記第１の応答メッセージを送信するように構成される。
【０２７１】
任意選択で、前記通信ユニット７１０は、端末により送信された第１の上りメッセージを受信するように構成され、前記第１の上りメッセージには前記端末の受信した第１の信号の識別情報が含まれ、前記第１の信号が、前記ネットワークデバイスの送信した第１のタイプの少なくとも１つの信号のうちの少なくとも一部の信号を含み、
前記処理ユニット７２０は、第１の時間周波数リソースセット及び／又は探索空間を決定し、前記第１の時間周波数リソースセット及び／又は探索空間が、前記第１の上りメッセージに対する第１の応答メッセージを送信するために用いられ、
前記通信ユニット７１０は、さらに、前記第１の時間周波数リソースセット及び／又は探索空間において前記第１の応答メッセージを送信するように構成される。
【０２７２】
なお、このネットワークデバイス７００は、方法の実施例におけるネットワークデバイスに対応することができ、方法の実施例におけるネットワークデバイスにより実施される対応する動作は、簡潔のためにここでは説明を省略する。
【０２７３】
図８は、本実施例のシステムチップ８００の概略構成図である。図８のシステムチップ８００は、入力インターフェース８０１、出力インターフェース８０２、メモリ８０４内のコードを実行するためのプロセッサ８０３、及びメモリ８０４を含み、それらの間に内部通信接続線を介して接続され得る。
【０２７４】
任意選択で、コードが実行されると、プロセッサ８０３は、方法の実施例においてネットワークデバイスによって実行される方法を実施する。簡潔にするために、ここでは説明を省略する。
【０２７５】
任意選択で、コードが実行されると、プロセッサ８０３は、方法の実施例において端末によって実行される方法を実施する。簡潔にするために、ここでは説明を省略する。
【０２７６】
図９は、本願の実施例による通信デバイス９００の概略的なブロック図である。図９に示すように、通信デバイス９００は、プロセッサ９１０と、メモリ９２０とを有する。そのうち、該メモリ９２０はプログラムコードを記憶してもよく、該プロセッサ９１０は該メモリ９２０に記憶されたプログラムコードを実行してもよい。
【０２７７】
任意選択で、図９に示すように、通信デバイス９００は、プロセッサ９１０が外部と通信するように制御することができる送受信機９３０を含んでもよい。
【０２７８】
任意選択で、プロセッサ９１０は、メモリ９２０に記憶されたプログラムコードを呼び出して、方法の実施例におけるネットワークデバイスの対応する動作を実行してもよく、簡潔のためにここでは詳しい説明を省略する。
【０２７９】
任意選択で、プロセッサ９１０は、メモリ９２０に格納されたプログラムコードを呼び出して、方法の実施例における端末の対応する動作を実行してもよく、簡潔のためにここでは詳しい説明を省略する。
【０２８０】
本願の実施例のプロセッサは、信号の処理能力を有する集積回路チップであり得ることが理解される。実施において、上述した方法の実施例のステップは、プロセッサ内のハードウェアの集積論理回路またはソフトウェア形態の命令によって実行されてもよい。上記のプロセッサは、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既存のプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネントであってもよい。本願の実施例に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施例に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０２８１】
本発明の実施例におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ( Ｒｅａｄ−Ｏｎｌｙ Ｍｅｍｏｒｙ、ＲＯＭ )、プログラマブルリードオンリーメモリ( Ｐｒｏｇｒａｍｍａｂｌｅ ＲＯＭ、ＰＲＯＭ )、消去可能プログラマブルリードオンリーメモリ( Ｅｒａｓａｂｌｅ ＰＲＯＭ、ＥＰＲＯＭ )、電気的消去可能プログラマブルリードオンリーメモリ( Ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、ＲＡＭは、スタティックランダムアクセスメモリ( Ｓｔａｔｉｃ ＲＡＭ、ＳＲＡＭ )、ダイナミックランダムアクセスメモリ（ Ｄｙｎａｍｉｃ ＲＡＭ、ＤＲＡＭ )、シンクロナスダイナミックランダムアクセスメモリ( Ｓｙｎｃｈｒｏｎｏｕｓ ＤＲＡＭ、ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ、ＤＤＲ ＳＤＲＡＭ )、エンハンスメント型シンクロナスダイナミックランダムアクセスメモリ( Ｅｎｈａｎｃｅｄ ＳＤＲＡＭ、ＥＳＤＲＡＭ )、シンクロナス接続ダイナミックランダムアクセスメモリ( Ｓｙｎｃｈｌｉｎｋ ＤＲＡＭ、ＳＬＤＲＡＭ )、及びダイレクトメモリバスランダムアクセスメモリ( Ｄｉｒｅｃｔ  Ｒａｍｂｕｓ  ＲＡＭ、ＤＲ ＲＡＭ )など、多くの形態で利用可能である。本明細書に記載のシステム及び方法のメモリは、これら及び任意の他の適切なタイプのメモリを含むことが意図されているが、これらに限定されないことに留意されたい。
【０２８２】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０２８３】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０２８４】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよく、別のシステムに統合されてもよく、又はいくつかの特徴が省略されてもよく、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０２８５】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。
【０２８６】
また、本発明の各実施例における各機能部は、１つの処理部に集積されてもよく、各部は、物理的に別個に存在してもよく、２つ以上の部が１つの部に集積されてもよい。
【０２８７】
また、ソフトウェア的な機能単位で実現され、独立した製品として販売又は使用される場合には、コンピュータ読み取り可能な記録媒体に格納されてもよい。このような理解に基づいて、本発明の技術的解決策の本質または従来技術に寄与する部分、または本発明の技術的解決策の部分は、１つのコンピュータデバイス(パーソナルコンピュータ、サーバ、またはネットワークデバイスなどであり得る)に本発明の様々な実施例に記載された方法のステップの全てまたは一部を実行させるための複数の命令を含む１つの記憶媒体に記憶されたソフトウェア製品の形態で具現化され得る。なお、前記記憶媒体としては、Ｕ-ディスク、リムーバブルハードディスク、Ｒｅａｄ−Ｏｎｌｙ Ｍｅｍｏｒｙ、ＲＯＭ、ＲＡＭ、磁気ディスク、光ディスク等のプログラムコードを記憶できる種々の媒体を用いることができる。
【０２８８】
以上、本発明の具体的な実施例を説明したが、本発明の技術的範囲はこれに限定されるものではなく、本発明が属する技術分野で通常の知識を有する者であれば、本発明の技術的範囲内で容易に変更や置換をなし得ることは勿論である。したがって、本発明の保護範囲は、特許請求の範囲によって定義されるべきである。
【図１】
2021503196.tif 000003
【図２】
2021503196.tif 000004
【図３】
2021503196.tif 000005
【図４】
2021503196.tif 000006
【図５】
2021503196.tif 000007
【図６】
2021503196.tif 000008
【図７】
2021503196.tif 000009
【図８】
2021503196.tif 000010
【図９】
2021503196.tif 000011
【手続補正書】
【提出日】令和2年9月11日(2020.9.11)
【手続補正１】
【補正対象書類名】特許請求の範囲
【補正対象項目名】全文
【補正方法】変更
【補正の内容】
【特許請求の範囲】
【請求項１】
端末が第１の上りメッセージを送信することと、
前記端末が、第１の信号とＣＯＲＥＳＥＴとの対応関係に基づいて、第１の制御リソースセットＣＯＲＥＳＥＴを決定することと、
前記端末が前記第１のＣＯＲＥＳＥＴにおいて、第１の上りメッセージに応答する第１の応答メッセージを受信することとを含み、
前記第１の上りメッセージには第１の信号の識別情報が含まれ、前記第１の信号が、チャネル状態情報参照信号ＣＳＩ−ＲＳ、又は同期信号ブロックを含む
ことを特徴とする無線通信方法。
【請求項２】
前記端末が、第１の信号とＣＯＲＥＳＥＴとの対応関係に基づいて、第１の制御リソースセットＣＯＲＥＳＥＴを決定することは、
前記端末が、第１の信号と探索空間との対応関係に基づいて、第１の制御リソースセットＣＯＲＥＳＥＴを決定することを含む
ことを特徴とする請求項１に記載の無線通信方法。
【請求項３】
前記端末が前記第１のＣＯＲＥＳＥＴにおいて、第１の上りメッセージに応答する第１の応答メッセージを受信することは、
前記端末が前記第１のＣＯＲＥＳＥＴにおいてブラインド検出を行うことと、
前記端末が第１の上りメッセージに応答する第１の応答メッセージを受信することとを含む
ことを特徴とする請求項１に記載の無線通信方法。
【請求項４】
前記第１の信号は、それぞれの空間受信パラメータに対して非前記第１の信号にそれぞれ準コロケーションされることができる
ことを特徴とする請求項１に記載の無線通信方法。
【請求項５】
前記第１の信号のうちの異なる信号は、それぞれ異なる送信ビームを介して搬送される
ことを特徴とする請求項１〜４のいずれか１項に記載の無線通信方法。
【請求項６】
前記第１の上りメッセージは、前記端末が前記第１の信号を検出した検出結果に基づいて所望する下り送信ビームを前記ネットワークデバイスに通知するために用いられる
ことを特徴とする請求項５に記載の無線通信方法。
【請求項７】
前記第一のＣＯＲＥＳＥＴは、前記第１の信号に対応する上りメッセージの応答メッセージを受信するために用いられる
ことを特徴とする請求項１に記載の無線通信方法。
【請求項８】
前記方法は、さらに、
前記端末が第１の指示情報を受信することを含み、前記第１の指示情報が前記対応関係を示す
ことを特徴とする請求項１又は７に記載の無線通信方法。
【請求項９】
前記端末が第１の制御リソースセットＣＯＲＥＳＥＴを決定することは、
第１のコードに基づいて、前記第１のＣＯＲＥＳＥＴを決定することを含み、
前記第１のコードが前記第１の信号を識別するコードである
ことを特徴とする請求項１〜６のいずれか１項に記載の無線通信方法。
【請求項１０】
第１のコードに基づいて、前記第１のＣＯＲＥＳＥＴを決定することは、
少なくとも１つのコードと、少なくとも１つのＣＯＲＥＳＥＴとの第２の対応関係に基づいて、前記第１のコードに対応する前記第１のＣＯＲＥＳＥＴを決定することを含む
ことを特徴とする請求項９に記載の無線通信方法。
【請求項１１】
各コードが前記第１の信号の上りメッセージにそれぞれ対応し、前記コードに対応するＣＯＲＥＳＥＴは、前記コードを利用して送信した前記上りメッセージの応答メッセージを受信するために用いられる
ことを特徴とする請求項１０に記載の無線通信方法。
【請求項１２】
前記方法は、さらに、
第２の指示情報を受信することを含み、前記第２の指示情報が前記第２の対応関係を示す
ことを特徴とする請求項１０に記載の無線通信方法。
【請求項１３】
通信ユニットと、処理ユニットと、を備える端末であって、
前記通信ユニットは、第１の上りメッセージを送信するように構成され、前記第１の上りメッセージには第１の信号の識別情報が含まれ、前記第１の信号が、チャネル状態情報参照信号ＣＳＩ−ＲＳ、又は同期信号ブロックを含み、
前記処理ユニットは、第１の信号とＣＯＲＥＳＥＴとの対応関係に基づいて、第１の制御リソースセットＣＯＲＥＳＥＴを決定するように構成され、
前記通信ユニットは、前記第１のＣＯＲＥＳＥＴにおいて、第１の上りメッセージに応答する前記第１の応答メッセージを受信するように構成される
ことを特徴とする端末。
【請求項１４】
前記処理ユニットは、さらに、
前記端末が、第１の信号と探索空間との対応関係に基づいて、第１の制御リソースセットＣＯＲＥＳＥＴを決定するように構成される
ことを特徴とする請求項１３に記載の端末。
【請求項１５】
前記処理ユニットは、さらに、
前記端末が前記第１のＣＯＲＥＳＥＴにおいてブラインド検出を行い、
前記端末が第１の上りメッセージに応答する第１の応答メッセージを受信するように構成される
ことを特徴とする請求項１３に記載の端末。
【請求項１６】
前記第１の信号は、それぞれの空間受信パラメータに対して非前記第１の信号にそれぞれ準コロケーションされることができる
ことを特徴とする請求項１３に記載の端末。
【請求項１７】
前記第１の信号のうちの異なる信号は、それぞれ異なる送信ビームを介して搬送される
ことを特徴とする請求項１３〜１６のいずれか１項に記載の端末。
【請求項１８】
前記第１の上りメッセージは、前記端末が前記第１の信号を検出した検出結果に基づいて所望する下り送信ビームを前記ネットワークデバイスに通知するために用いられる
ことを特徴とする請求項１７に記載の端末。
【請求項１９】
前記第１のＣＯＲＥＳＥＴは、前記第１の信号に対応する上りメッセージの応答メッセージを受信するために用いられる
ことを特徴とする請求項１３に記載の端末。
【請求項２０】
前記通信ユニットは、さらに、
第１の指示情報を受信するように構成され、前記第１の指示情報が前記対応関係を示す
ことを特徴とする請求項１３又は１９に記載の端末。
【請求項２１】
前記処理ユニットは、さらに、
第１のコードに基づいて、前記第１のＣＯＲＥＳＥＴを決定するように構成され、前記第１のコードが前記第１の信号を識別するコードである
ことを特徴とする請求項１３〜１８のいずれか１項に記載の端末。
【請求項２２】
前記処理ユニットは、さらに、
少なくとも１つのコードと、少なくとも１つのＣＯＲＥＳＥＴとの第２の対応関係に基づいて、前記第１のコードに対応する前記第１のＣＯＲＥＳＥＴを決定するように構成される
ことを特徴とする請求項２１に記載の端末。
【請求項２３】
各コードが前記第１の信号の上りメッセージにそれぞれ対応し、前記コードに対応するＣＯＲＥＳＥＴは、前記コードを利用して送信した前記上りメッセージの応答メッセージを受信するために用いられる
ことを特徴とする請求項２２に記載の端末。
【請求項２４】
前記通信ユニットは、さらに、
第２の指示情報を受信するように構成され、前記第２の指示情報が前記第２の対応関係を示す
ことを特徴とする請求項２２に記載の端末。
【国際調査報告】
2021503196.tif 000012
2021503196.tif 000013
2021503196.tif 000014
2021503196.tif 000015
2021503196.tif 000016